(57)【要約】  【課題】  マスクを患者の顔にしっかりと密閉させることが可能であるマスクシステムを提供する。  【解決手段】  ユーザに空気を届けるマスクシステムであって、顔接触クッション３０とマスクシェル２０との間の相対的な動きを可能にするサスペンション機構３２を備えている。このサスペンション機構はまた、マスク圧、クッションの変位またはこれら両方の関数である所定の力をクッションに提供する。【選択図】  図１０
2010279807.tif 000002
【特許請求の範囲】
【請求項１】
呼吸可能なガスマスク構成であって、
加圧された呼吸可能なガスの供給を受けるように適合された部分とユーザ側とを有する
マスクシェルと、
前記シェルの前記ユーザ側に取り付けられた第一の側と、第二の側とを有するガセット
部と、
前記ガセット部の前記第二の側に取り付けられるように構成された第一の部分と、使用
時にユーザの顔と接触して前記マスク構成と前記ユーザの顔との間の密閉を提供するよう
に構成された第二の部分とを有するクッションと、
前記ユーザに前記マスクシェルを取り付けるように構成されたヘッドギアと
を備えており、
前記ガセット部は、前記マスクシェルと前記クッションとの間の距離を変えるように膨
らんだり収縮したりし得るように構成されており、前記ガセット部の内部は前記加圧され
た呼吸可能ガスの供給にさらされており、前記ガセット部の内部は、前記ユーザの顔上に
突出した領域Ａｇに作用する前記加圧された呼吸可能ガスの供給が前記ユーザの顔にかか
る前記クッションの接触力Ｆｃの構成要素を提供するように、前記クッションが前記ユー
ザの顔と接触する領域Ａｃよりも大きい前記領域Ａｇを有しており、Ａｇ／Ａｃの比は少
なくとも１．３０であることを特徴とする、呼吸可能ガスのマスク構成。
【請求項２】
前記Ａｇ／Ａｃの比は１．５０から５．００の範囲にあることを特徴とする、請求項１
に記載の呼吸可能ガスのマスク構成。
【請求項３】
前記Ａｇ／Ａｃの比は２．００から４．００の範囲にあることを特徴とする、請求項２
に記載の呼吸可能ガスのマスク構成。
【請求項４】
前記Ａｇ／Ａｃの比は２．２５から３．５０の範囲にあることを特徴とする、請求項３
に記載の呼吸可能ガスのマスク構成。
【請求項５】
前記ガセット部は、前記マスクシェルと前記クッションとの間の前記距離を少なくとも
１５ｍｍ変えるように膨らみ、接触しうることを特徴とする、請求項１に記載の呼吸可能
ガスのマスク構成。
【請求項６】
前記ガセット部は、前記マスクシェルと前記クッションとの間の前記距離を少なくとも
２０ｍｍ変えるように膨らみ、接触しうることを特徴とする、請求項５に記載の呼吸可能
ガスのマスク構成。
【請求項７】
前記ガセット部は、前記加圧された呼吸可能ガスの供給にさらされていないときに略三
角形の断面を有する柔軟性のあるサイドウォール有する単一のガセットを備えており、前
記ガセットは前記加圧された呼吸可能ガスの供給にさらされているときは略丸みをおびた
断面に膨らむことを特徴とする、請求項１に記載の呼吸可能ガスのマスク構成。
【請求項８】
前記ガセット部は、前記加圧された呼吸可能ガスの供給にさらされていないときには略
三角形の柔軟性のあるサイドウォールを有する複数の相互に接続されたガセットを備えて
おり、前記複数のガセットは前記加圧された呼吸可能ガスの供給にさらされているときは
略丸みをおびた断面にまで膨らむことを特徴とする、請求項７に記載の呼吸可能ガスのマ
スク構成。
【請求項９】
前記ガセット部は、前記ガセット部の前記第一および第２の側の間の領域内でより大き
い段からより小さい段へとうつる連続した複数の相互に接続された段を備えていることを
特徴とする、請求項１に記載の呼吸可能ガスのマスク構成。
【請求項１０】
前記マスクシェルは軸方向に伸びるシリンダー部を有しており、前記ガセット部は前記
マスクシェルの前記シリンダー部と軸方向にスライド可能に噛み合うピストンの形状であ
ることを特徴とする、請求項１に記載の呼吸可能ガスのマスク構成。
【請求項１１】
前記マスクシェルと前記ピストンとの間に引き込み力を印加するために前記マスクシェ
ルと前記ピストンとの間に噛み合うバネをさらに備えていることを特徴とする、請求項１
０に記載の呼吸可能ガスのマスク構成。
【請求項１２】
前記マスクシェルは、前記ピストンの軸方向の動きを制限するように前記ピストンと噛
み合うストップ部を備えていることを特徴とする、請求項１１に記載の呼吸可能ガスのマ
スク構成。
【請求項１３】
前記ガセット部は複数の相互に接続されたガセットを備えており、前記ガセットの少な
くとも二つは、前記加圧された呼吸可能ガスの供給にさらされる異なるサイズの領域を有
していることを特徴とする、請求項１に記載の呼吸可能ガスのマスク構成。
【請求項１４】
前記ガセット部は、底部が厚くなった断面を有するサイドウォールを有していることを
特徴とする、請求項１に記載の呼吸可能ガスのマスク構成。
【請求項１５】
前記厚くなった部分は略一様な厚さを有していることを特徴とする、請求項１４に記載
の呼吸可能ガスのマスク構成。
【請求項１６】
前記ガセット部は、厚くなった底部から薄くなった部分へとテーパーの入った断面厚を
有するサイドウォールを備えていることを特徴とする、請求項１４に記載の呼吸可能ガス
のマスク構成。
【請求項１７】
前記ガセット部の第一のサイドウォール部に接触して前記第一のサイドウォール部の動
きを制限する、前記マスクシェルに取り付けられたほぼ剛性を有するバックストップをさ
らに備えていることを特徴とする、請求項１に記載の呼吸可能ガスのマスク構成。
【請求項１８】
前記ほぼ剛性を有するバックストップは、前記ガセット部の周囲の実質的に全体にわた
って伸びていることを特徴とする、請求項１７に記載の呼吸可能ガスのマスク構成。
【請求項１９】
前記ガセット部の第二のサイドウォール部と接触して前記第二のサイドウォール部の動
きを制限する、前記マスクシェルに取り付けられたほぼ剛性を有する第二のバックストッ
プをさらに備えていることを特徴とする、請求項１８に記載の呼吸可能ガスのマスク構成
。
【請求項２０】
前記マスクシェルは、マスクガスインテイクとマスク排気口との間の前記マスクシェル
の内部に配置された、前記インテイクからのガスを前記排気口からの直接の流れからそら
すためのバッフルをさらに備えていることを特徴とする、請求項１に記載の呼吸可能ガス
のマスク構成。
【請求項２１】
前記バッフルは、前記マスクの水平軸から傾けられた平坦な板の形状を有していること
を特徴とする、請求項２０に記載の呼吸可能ガスのマスク構成。
【請求項２２】
前記ガセット部は、内部容量を取り囲む略円形の断面を有する柔軟性のあるサイドウォ
ールと、前記ガセット部の前記内部容量を前記加圧された呼吸可能ガスの供給に接続する
少なくとも一つのポートとを有していることを特徴とする、請求項１に記載の呼吸可能ガ
スのマスク構成。
【請求項２３】
患者に呼吸可能ガスを届けるためのマスクであって、
加圧された呼吸可能ガスの供給を受け取るように適合された部分とユーザ側とを有する
マスクシェルと、
前記シェルの前記ユーザ側に取り付けられた第一の側と、第二の側とを有するガセット
部と、
前記ガセット部の前記第二の側に取り付けられるように構成された第一の部分と、使用
時にはユーザの顔に接触して前記マスクと前記ユーザの顔との間に密閉を提供するように
構成された第二の部分と、
前記マスクシェルを前記ユーザに取り付けるように構成されたヘッドギアと
を備えており、
前記ガセット部は前記マスクシェルと前記クッションとの間の距離を変えるように変位
範囲内で膨らんだり収縮したりすることができ、前記ガセット部は、使用時に前記加圧さ
れた呼吸可能ガスの供給にさらされるガセット領域に作用する前記加圧されたガスの供給
が前記ユーザの顔にかかる前記クッションの接触力Ｆｃの構成要素を提供するように前記
ガセット領域を規定し、前記力Ｆｃは前記加圧された呼吸可能ガスの供給にほぼ一定の割
合に維持され、前記顔にかかる前記マスクのトータルの力Ｆｍは、前記マスクの動作圧力
範囲にわたって前記加圧された呼吸可能ガスの供給の圧力１gf/cm2あたり約３５〜１０８
グラムの範囲内に維持されることを特徴とする、マスク。
【請求項２４】
前記力Ｆｍは、前記加圧された呼吸可能ガスの供給の圧力１gf/cm2あたり約４０〜８８
グラムの範囲内に維持されることを特徴とする、請求項２３に記載のマスク。
【請求項２５】
前記力Ｆｍは、前記加圧された呼吸可能ガスの供給の圧力１gf/cm2あたり約５０〜８８
グラムの範囲内に維持されることを特徴とする、請求項２４に記載のマスク。
【請求項２６】
前記動作圧力範囲は、約４〜２５gf/cm2であることを特徴とする、請求項２５に記載の
マスク。
【請求項２７】
前記ガセット部の膨張および収縮は、前記ユーザの顔に対する前記マスクシェルの角度
のずれがプラスおよびマイナス８度の範囲内で前記クッションと前記ユーザの顔との間に
密閉を維持することを可能にすることを特徴とする、請求項２６に記載のマスク。
【請求項２８】
前記ガセット部は、前記加圧された呼吸可能ガスの供給にさらされていないときに略三
角形の断面をもつ柔軟性のあるサイドウォールを有する単一のガセットを備えており、前
記ガセットは前記加圧された呼吸可能ガスの供給にさらされているときは略丸みをおびた
断面に膨らむことを特徴とする、請求項２３に記載のマスク。
【請求項２９】
前記ガセット部は、底部で厚くなった断面をもつサイドウォールを備えていることを特
徴とする、請求項２３に記載のマスク。
【請求項３０】
前記厚くなった部分は略一様の厚さを有していることを特徴とする、請求項２９に記載
のマスク。
【請求項３１】
前記ガセット部は、厚くなった底部から薄くなった部分へとテーパーの入った断面厚を
有するサイドウォールを備えていることを特徴とする、請求項２９に記載のマスク。
【請求項３２】
前記ガセット部の第一のサイドウォール部に接触して前記第一のサイドウォール部の動
きを制限する、前記マスクシェルに取り付けられたほぼ剛性を有するバックストップをさ
らに備えていることを特徴とする、請求項２３に記載のマスク。
【請求項３３】
前記ほぼ剛性を有するバックストップは、前記ガセット部の周囲の実質的に全体にわた
って伸びていることを特徴とする、請求項３２に記載のマスク。
【請求項３４】
患者に呼吸可能ガスを届けるためのマスクであって、
加圧された呼吸可能ガスの供給を受け取るように適合された部分とユーザ側とを有する
マスクシェルと、
前記シェルの前記ユーザ側に取り付けられた第一の側と、第二の側とを有するガセット
部と、
前記ガセット部の前記第二の側に取り付けられるように構成された第一の部分と、使用
時にはユーザの顔に接触して前記マスクと前記ユーザの顔との間に密閉を提供するように
構成された第二の部分と、
前記マスクシェルを前記ユーザに取り付けるように構成されたヘッドギアと
を備えており、
前記ガセット部は前記マスクシェルと前記クッションとの間の距離を変えるように変位
範囲内で膨らんだり収縮したりすることができるように構成されており、前記ガセット部
は、使用時に前記加圧された呼吸可能ガスの供給にさらされるガセット領域に作用する前
記加圧されたガスの供給が前記ユーザの顔にかかる前記クッションの接触力Ｆｃの構成要
素を提供するように前記ガセット領域を規定し、前記力Ｆｃは約４〜２５gf/cm2の動作圧
力範囲にわたって、前記加圧された呼吸可能ガスの供給の圧力１gf/cm2あたり約８〜６１
グラムの範囲に維持されることを特徴とする、マスク。
【請求項３５】
前記力Ｆｃは、前記加圧された呼吸可能ガスの供給の圧力１gf/cm2あたり約２７〜６１
グラムの範囲に維持されることを特徴とする、請求項３４に記載のマスク。
【請求項３６】
前記力Ｆｃは、前記加圧された呼吸可能ガスの供給の圧力１gf/cm2あたり約４０〜６１
グラムの範囲に維持されることを特徴とする、請求項３５に記載のマスク。
【請求項３７】
前記顔にかかる前記マスクのトータルの力Ｆｍは、前記マスクの動作圧力範囲にわたっ
て、前記加圧された呼吸可能ガスの供給の圧力１gf/cm2あたり約３５〜８８グラムの範囲
に維持されることを特徴とする、請求項３６に記載のマスク。
【請求項３８】
前記力Ｆｍは、前記加圧された呼吸可能ガスの供給の圧力１gf/cm2あたり約４０〜８８
グラムの範囲に維持されることを特徴とする、請求項３７に記載のマスク。
【請求項３９】
前記力Ｆｍは、前記加圧された呼吸可能ガスの供給の圧力１gf/cm2あたり約５０〜８８
グラムの範囲に維持されることを特徴とする、請求項３８に記載のマスク。
【請求項４０】
前記ガセット部の膨張および収縮は、前記ユーザの顔に対する前記マスクシェルの角度
のずれがプラスおよびマイナス８度の範囲内で前記クッションと前記ユーザの顔との間に
密閉を維持することを可能にすることを特徴とする、請求項３９に記載のマスク。
【請求項４１】
前記ガセット部は、前記加圧された呼吸可能ガスの供給にさらされていないときに略三
角形の断面をもつ柔軟性のあるサイドウォールを有する単一のガセットを備えており、前
記ガセットは前記加圧された呼吸可能ガスの供給にさらされているときは略丸みをおびた
断面に膨らむことを特徴とする、請求項３４に記載のマスク。
【請求項４２】
前記ガセット部は、底部で厚くなった断面をもつサイドウォールを備えていることを特
徴とする、請求項３４に記載のマスク。
【請求項４３】
前記厚くなった部分は略一様の厚さを有していることを特徴とする、請求項４２に記載
のマスク。
【請求項４４】
前記ガセット部は、厚くなった底部から薄くなった部分へとテーパーの入った断面厚を
有するサイドウォールを備えていることを特徴とする、請求項４２に記載のマスク。
【請求項４５】
前記ガセット部の第一のサイドウォール部に接触して前記第一のサイドウォール部の動
きを制限する、前記マスクシェルに取り付けられたほぼ剛性を有するバックストップをさ
らに備えていることを特徴とする、請求項３４に記載のマスク。
【請求項４６】
前記ほぼ剛性を有するバックストップは、前記ガセット部の周囲の実質的に全体にわた
って伸びていることを特徴とする、請求項４５に記載のマスク。
【請求項４７】
呼吸可能なガスマスク構成であって、
加圧された呼吸可能なガスの供給を受けるように適合された部分とユーザ側とを有する
マスクシェルと、
前記シェルの前記ユーザ側に取り付けられた第一の側と、第二の側とを有するガセット
部と、
前記ガセット部の前記第二の側に取り付けられるように構成された第一の部分と、使用
時にユーザの顔と接触して前記マスク構成と前記ユーザの顔との間の密閉を提供するよう
に構成された第二の部分とを有するクッションと、
前記ユーザに前記マスクシェルを取り付けるように構成されたヘッドギアと
を備えており、
前記ガセット部は、前記マスクシェルと前記クッションとの間の距離を変えるように膨
らんだり収縮したりし得るように構成されており、前記ガセット部の内部は前記加圧され
た呼吸可能ガスの供給にさらされており、前記ガセット部の内部は、前記ユーザの顔上に
突出した領域Ａｇに作用する前記加圧された呼吸可能ガスの供給が前記ユーザの顔にかか
る前記クッションの接触力Ｆｃの構成要素を提供するように、前記クッションが前記ユー
ザの顔と接触する領域Ａｃよりも大きい前記領域Ａｇを有しており、Ａｇ／Ａｃの比は１
．００よりも大きく、前記顔にかかる前記マスクのトータルの力Ｆｍの変化は、任意の動
作圧力で、初期の密閉位置からの前記ユーザの顔方向への約６〜２５ｍｍの範囲内での前
記マスクシェルの変位にほぼ直接比例することを特徴とする、呼吸可能ガスのマスク構成
。
【請求項４８】
前記マスクシェルの変位は約１０〜２０ｍｍの範囲内にあることを特徴とする、請求項
４７に記載の呼吸可能ガスのマスク構成。
【請求項４９】
前記Ａｇ／Ａｃの比は１．５０から４．００の範囲内にあることを特徴とする、請求項
４８に記載の呼吸可能ガスのマスク構成。
【請求項５０】
前記ガセット部は、前記加圧された呼吸可能ガスの供給にさらされていないときに略三
角形の断面をもつ柔軟性のあるサイドウォールを有する単一のガセットを備えており、前
記ガセットは前記加圧された呼吸可能ガスの供給にさらされているときは略丸みをおびた
断面に膨らむことを特徴とする、請求項４９に記載の呼吸可能ガスのマスク構成。
【請求項５１】
加圧された呼吸可能なガスを受けとるように適合された呼吸可能ガスのマスク構成のマ
スクシェルと顔接触クッションとの間の配置のための装置であって、
前記マスクシェルのユーザ側に取り付け可能である第一の側と、前記クッションに取り
付け可能である第二の側とを有するガセット部を備えており、
前記ガセット部は、前記マスクシェルと前記クッションとの間の距離を変えるように膨
らんだり収縮したりできるように構成されており、前記ガセット部の内部は前記加圧され
た呼吸可能ガスの供給にさらされており、前記ガセット部の内部は、前記ユーザの顔上に
突出した領域Ａｇに作用する前記加圧された呼吸可能ガスの供給が前記ユーザの顔にかか
る前記クッションの接触力Ｆｃの構成要素を提供するように、前記クッションが前記ユー
ザの顔と接触する領域Ａｃよりも大きい前記領域Ａｇを有しており、Ａｇ／Ａｃの比は少
なくとも１．３０であることを特徴とする、装置。
【請求項５２】
前記Ａｇ／Ａｃの比は１．５０から５．００の範囲内にあることを特徴とする、請求項
５１に記載の装置。
【請求項５３】
前記Ａｇ／Ａｃの比は２．００から４．００の範囲内にあることを特徴とする、請求項
５２に記載の装置。
【請求項５４】
前記Ａｇ／Ａｃの比は２．２５から３．５０の範囲内にあることを特徴とする、請求項
５３に記載の装置。
【請求項５５】
前記ガセット部は、前記加圧された呼吸可能ガスの供給にさらされていないときに略三
角形の断面をもつ柔軟性のあるサイドウォールを有する単一のガセットを備えており、前
記ガセットは前記加圧された呼吸可能ガスの供給にさらされているときは略丸みをおびた
断面に膨らむことを特徴とする、請求項５３に記載の装置。
【請求項５６】
加圧された呼吸可能なガスを受けとるように適合された呼吸可能ガスのマスク構成のマ
スクシェルに取り付けられるクッションアセンブリであって、
前記マスクシェルのユーザ側に取り付け可能である第一の側と、第二の側とを有するガ
セット部と、
前記ガセット部の前記第二の側に取り付けられる第一の部分と、使用時にはユーザの顔
に接触して前記マスク構成と前記ユーザの顔との間の密閉を提供するように構成された第
二の部分とを有するクッションと
を備えており、
前記ガセット部は、前記マスクシェルと前記クッションとの間の距離を変えるように膨
らんだり収縮したりできるように構成されており、前記ガセット部の内部は前記加圧され
た呼吸可能ガスの供給にさらされており、前記ガセット部の内部は、前記ユーザの顔上に
突出した領域Ａｇに作用する前記加圧された呼吸可能ガスの供給が前記ユーザの顔にかか
る前記クッションの接触力Ｆｃの構成要素を提供するように、前記クッションが前記ユー
ザの顔と接触する領域Ａｃよりも大きい前記領域Ａｇを有しており、Ａｇ／Ａｃの比は少
なくとも１．３０であることを特徴とする、クッションアセンブリ。
【請求項５７】
前記Ａｇ／Ａｃの比は１．５０から５．００の範囲内にあることを特徴とする、請求項
５６に記載のクッションアセンブリ。
【請求項５８】
前記Ａｇ／Ａｃの比は２．００から４．００の範囲内にあることを特徴とする、請求項
５７に記載のクッションアセンブリ。
【請求項５９】
前記Ａｇ／Ａｃの比は２．２５から３．５０の範囲内にあることを特徴とする、請求項
５８に記載のクッションアセンブリ。
【請求項６０】
前記ガセット部は、前記加圧された呼吸可能ガスの供給にさらされていないときに略三
角形の断面をもつ柔軟性のあるサイドウォールを有する単一のガセットを備えており、前
記ガセットは前記加圧された呼吸可能ガスの供給にさらされているときは略丸みをおびた
断面に膨らむことを特徴とする、請求項５８に記載のクッションアセンブリ。
【請求項６１】
加圧された呼吸可能なガスをユーザに供給するマスクアセンブリであって、
前記加圧された呼吸可能ガスを受け取るように適合された部分を有するマスクシェルと
、
使用時にユーザの顔と接触し、前記マスクアセンブリと前記ユーザの顔との間に密閉を
提供する部分を有するクッションと、
前記マスクシェルと前記クッションとの間に取り付けられるサスペンション機構と、
前記ユーザに前記マスクシェルを取り付けるヘッドギアと
を備えており、
前記サスペンション機構は、前記マスクシェルと前記クッションとの間の距離を変える
ように膨らんだり収縮したりできるように構成されており、前記サスペンション機構の内
部は前記加圧された呼吸可能ガスの供給にさらされており、前記サスペンション機構の内
部は、前記ユーザの顔上に突出した領域Ａｇに作用する前記加圧された呼吸可能ガスの供
給が前記ユーザの顔にかかる前記クッションの接触力Ｆｃの構成要素を提供するように、
前記クッションが前記ユーザの顔と接触する領域Ａｃよりも大きい前記領域Ａｇを有して
おり、Ａｇ／Ａｃの比は少なくとも１．３０であることを特徴とする、マスクアセンブリ
。
【請求項６２】
前記Ａｇ／Ａｃの比は１．５０から５．００の範囲内にあることを特徴とする、請求項
６１に記載のマスクアセンブリ。
【請求項６３】
前記Ａｇ／Ａｃの比は２．００から４．００の範囲内にあることを特徴とする、請求項
６２に記載のマスクアセンブリ。
【請求項６４】
前記Ａｇ／Ａｃの比は２．２５から３．５０の範囲内にあることを特徴とする、請求項
６３に記載のマスクアセンブリ。
【請求項６５】
前記サスペンション機構は、前記加圧された呼吸可能ガスの供給にさらされていないと
きに略三角形の断面をもつ柔軟性のあるサイドウォールを有する単一のガセットを備えて
おり、前記ガセットは前記加圧された呼吸可能ガスの供給にさらされているときは略丸み
をおびた断面に膨らむことを特徴とする、請求項６３に記載のマスクアセンブリ。
【請求項６６】
患者に呼吸可能ガスを届けるためのマスクであって、
加圧された呼吸可能ガスの供給を受け取るように適合された部分とユーザ側とを有する
マスクシェルと、
前記シェルの前記ユーザ側に取り付けられた第一の側と、第二の側とを有するガセット
部と、
前記ガセット部の前記第二の側に取り付けられるように構成された第一の部分と、使用
時にはユーザの顔に接触して前記マスクと前記ユーザの顔との間に密閉を提供するように
構成された第二の部分と、
前記マスクシェルを前記ユーザに取り付けるように構成されたヘッドギアと
を備えており、
前記ガセット部は前記マスクシェルと前記クッションとの間の距離を変えるように変位
範囲内で膨らんだり収縮したりすることができるように構成されており、使用時に前記加
圧された呼吸可能ガスの供給にさらされるガセット領域に作用する前記加圧されたガスの
供給が前記ユーザの顔にかかる前記クッションの接触力Ｆｃの構成要素を提供するように
前記ガセット部が前記ガセット領域を規定し、前記力Ｆｃは約４〜２５gf/cm2の動作圧力
範囲にわたって、前記ユーザの顔と接触する前記クッションの周囲のリニアセンチメート
ルあたり前記加圧された呼吸可能ガスの供給の圧力gf/cm2あたり約０．３〜４グラムの範
囲内に維持されることを特徴とする、マスク。
【請求項６７】
前記力Ｆｃは、前記ユーザの顔と接触する前記クッションの周囲のリニアセンチメート
ルあたり前記加圧された呼吸可能ガスの供給の圧力gf/cm2あたり約０．５〜４グラムの範
囲内に維持されることを特徴とする、請求項６６に記載のマスク。
【請求項６８】
前記力Ｆｃは、前記ユーザの顔と接触する前記クッションの周囲のリニアセンチメート
ルあたり前記加圧された呼吸可能ガスの供給の圧力gf/cm2あたり約１〜３グラムの範囲内
に維持されることを特徴とする、請求項６７に記載のマスク。
【請求項６９】
前記力Ｆｃは、前記ユーザの顔と接触する前記クッションの周囲のリニアセンチメート
ルあたり前記加圧された呼吸可能ガスの供給の圧力gf/cm2あたり約１．５〜３グラムの範
囲内に維持されることを特徴とする、請求項６８に記載のマスク。
【請求項７０】
前記顔にかかる前記マスクのトータルの力Ｆｍは、前記マスクの動作圧力範囲にわたっ
て、前記加圧された呼吸可能ガスの供給の圧力gf/cm2あたり約３５〜８８グラムの範囲内
に維持されることを特徴とする、請求項６９に記載のマスク。
【請求項７１】
前記力Ｆｍは、前記加圧された呼吸可能ガスの供給の圧力gf/cm2あたり約４０〜８８グ
ラムの範囲に維持されることを特徴とする、請求項７０に記載のマスク。
【請求項７２】
前記力Ｆｍは、前記加圧された呼吸可能ガスの供給の圧力gf/cm2あたり約５０〜８８グ
ラムの範囲に維持されることを特徴とする、請求項７１に記載のマスク。
【請求項７３】
前記ガセット部の膨張および収縮は、前記ユーザの顔に対する前記マスクシェルの角度
のずれがプラスおよびマイナス８度の範囲内で前記クッションと前記ユーザの顔との間に
密閉を維持することを可能にすることを特徴とする、請求項７２に記載のマスク。
【請求項７４】
前記ガセット部は、前記加圧された呼吸可能ガスの供給にさらされていないときに略三
角形の断面をもつ柔軟性のあるサイドウォールを有する単一のガセットを備えており、前
記ガセットは前記加圧された呼吸可能ガスの供給にさらされているときは略丸みをおびた
断面に膨らむことを特徴とする、請求項７２に記載のマスク。
【請求項７５】
加圧された空気を受け取りユーザに供給するためのユーザに取り付け可能なマスクアセ
ンブリであって、
ユーザの顔に接触するクッションと、
前記クッションを軸方向に移動可能に支持し、前記空気の圧力に比例して前記クッショ
ンに第一の軸方向のバネ力を与えるように前記加圧された空気にさらされるサスペンショ
ン機構であって、前記第一の軸方向のバネ力は、前記クッションに直接作用する前記加圧
された空気のため前記クッションにかかる第二の軸方向のバネ力よりも少なくとも３０％
大きい、サスペンション機構と
を備えていることを特徴とするマスクアセンブリ。
【請求項７６】
前記第一の軸方向のバネ力は、前記第二の軸方向のバネ力よりも２００％と４００％の
間で大きいことを特徴とする、請求項７５に記載のマスクアセンブリ。
【請求項７７】
前記サスペンション機構は、前記加圧された呼吸可能ガスにさらされていないときに略
三角形の断面をもつ柔軟性のあるサイドウォールを有する単一のガセットを備えており、
前記ガセットは前記加圧された呼吸可能ガスにさらされているときは略丸みをおびた断面
に膨らむことを特徴とする、請求項７６に記載のマスクアセンブリ。
【請求項７８】
加圧された空気を受け取り、ユーザに供給するためのユーザに取り付け可能なマスクア
センブリであって、
マスクシェルと、
ユーザの顔に接触するクッションであって、前記ユーザの顔上の第一の突出した領域を
有するクッションと、
前記マスクシェルに取り付けられ、前記クッションを軸方向に移動可能に支持するサス
ペンション機構であって、前記顔上の前記第一の突出した領域よりも少なくとも３０％大
きい前記ユーザの顔上の第二の突出した領域を有しているサスペンション機構と
を備えていることを特徴とするマスクアセンブリ。
【請求項７９】
前記第二の突出した領域は、前記第一の突出した領域よりも２００％と４００％の間で
大きいことを特徴とする、請求項７８に記載のマスクアセンブリ。
【請求項８０】
前記サスペンション機構は、前記加圧された呼吸可能ガスにさらされていないときに略
三角形の断面をもつ柔軟性のあるサイドウォールを有する単一のガセットを備えており、
前記ガセットは前記加圧された呼吸可能ガスにさらされているときは略丸みをおびた断面
に膨らむことを特徴とする、請求項７９に記載のマスクアセンブリ。
【請求項８１】
呼吸可能なガスマスク構成であって、
加圧された呼吸可能なガスの供給を受けるように適合された部分とユーザ側上に軸方向
に伸びるシリンダー部とを有するマスクシェルと、
軸方向にスライド可能に前記マスクシェルの前記シリンダー部に噛み合うピストンの形
状であり第一の側と、第二の側とを有するガセット部と、
前記ガセット部の前記第二の側に取り付けられるように構成された第一の部分と、使用
時にユーザの顔と接触して前記マスク構成と前記ユーザの顔との間の密閉を提供するよう
に構成された第二の部分とを有するクッションと、
前記ユーザに前記マスクシェルを取り付けるように構成されたヘッドギアと
を備えており、
前記ピストンは、前記マスクシェルと前記クッションとの間の距離を変えるように前記
マスクシェルの前記シリンダー部において軸方向にスライド可能であり、前記ピストンの
表面は前記加圧された呼吸可能ガスの供給にさらされており、前記ピストンの表面は前記
クッションが前記ユーザの顔と接触する領域Ａｃよりも大きいユーザの顔上に突出した領
域Ａｇを有しており、前記領域Ａｇに作用する前記加圧された呼吸可能ガスの供給は前記
ユーザの顔にかかる前記クッションの接触力Ｆｃの構成要素を提供し、Ａｇ／Ａｃの比は
１．００よりも大きいことを特徴とする、呼吸可能ガスのマスク構成。
【請求項８２】
前記マスクシェルと前記ピストンの間に噛み合って前記マスクシェルと前記ピストンの
間に引き込み力を印加するバネをさらに備えていることを特徴とする、請求項８１に記載
の呼吸可能ガスのマスク構成。
【請求項８３】
前記マスクシェルは、前記ピストンと噛み合って前記ピストンの軸方向の動きを規制す
るストップ部を備えていることを特徴とする、請求項８２に記載の呼吸可能ガスのマスク
構成。
【請求項８４】
前記Ａｇ／Ａｃの比は１．５０から４．００の範囲内にあることを特徴とする、請求項
８３に記載の呼吸可能ガスのマスク構成。
【請求項８５】
前記Ａｇ／Ａｃの比は２．００から４．００の範囲内にあることを特徴とする、請求項
８１に記載の呼吸可能ガスのマスク構成。
【請求項８６】
呼吸可能なガスマスク構成であって、
加圧された呼吸可能なガスの供給を受けるように適合された部分とユーザ側とを有する
マスクシェルと、
前記シェルの前記ユーザ側に取り付けられた第一の側と、第二の側とを有するガセット
部と、
前記ガセット部の前記第二の側に取り付けられるように構成された第一の部分と、使用
時にユーザの顔と接触して前記マスク構成と前記ユーザの顔との間の密閉を提供するよう
に構成された第二の部分とを有するクッションと、
前記ユーザに前記マスクシェルを取り付けるように構成されたヘッドギアと
を備えており、
前記ガセット部は、前記マスクシェルと前記クッションとの間の距離を変えるように膨
らんだり収縮したりすることができるように構成されており、前記ガセット部の内部は前
記加圧された呼吸可能ガスの供給にさらされており、前記ガセット部の内部は前記クッシ
ョンが前記ユーザの顔と接触する領域Ａｃよりも大きいユーザの顔上に突出した領域Ａｇ
を有しており、前記領域Ａｇに作用する前記加圧された呼吸可能ガスの供給は前記ユーザ
の顔にかかる前記クッションの接触力Ｆｃの構成要素を提供し、Ａｇ／Ａｃの比は１．０
０よりも大きく、前記ガセット部は底部で厚くなった断面をもつサイドウォールを有する
ことを特徴とする、呼吸可能ガスのマスク構成。
【請求項８７】
前記厚くなった部分は略一様の厚さを有していることを特徴とする、請求項８６に記載
の呼吸可能ガスのマスク構成。
【請求項８８】
前記Ａｇ／Ａｃの比は１．５０から４．００の範囲内にあることを特徴とする、請求項
８７に記載の呼吸可能ガスのマスク構成。
【請求項８９】
前記ガセット部は、厚くなった底部から薄くなった部分にかけてテーパーの入った断面
厚をもつサイドウォールを有することを特徴とする、請求項８６に記載の呼吸可能ガスの
マスク構成。
【請求項９０】
前記Ａｇ／Ａｃの比は１．５０から４．００の範囲内にあることを特徴とする、請求項
８９に記載の呼吸可能ガスのマスク構成。
【請求項９１】
呼吸可能なガスマスク構成であって、
加圧された呼吸可能なガスの供給を受けるように適合された部分とユーザ側とを有する
マスクシェルと、
前記シェルの前記ユーザ側に取り付けられた第一の側と、第二の側とを有するガセット
部と、
前記ガセット部の前記第二の側に取り付けられるように構成された第一の部分と、使用
時にユーザの顔と接触して前記マスク構成と前記ユーザの顔との間の密閉を提供するよう
に構成された第二の部分とを有するクッションと、
前記ユーザに前記マスクシェルを取り付けるように構成されたヘッドギアと、
前記マスクシェルに取り付けられ、前記ガセット部の第一のサイドウォール部に接触し
て前記第一のサイドウォール部の動きを規制する略剛性を有するバックストップと
を備えており、
前記ガセット部は、前記マスクシェルと前記クッションとの間の距離を変えるように膨
らんだり収縮したりすることができるように構成されており、前記ガセット部の内部は前
記加圧された呼吸可能ガスの供給にさらされており、前記ガセット部の内部は前記クッシ
ョンが前記ユーザの顔と接触する領域Ａｃよりも大きいユーザの顔上に突出した領域Ａｇ
を有しており、前記領域Ａｇに作用する前記加圧された呼吸可能ガスの供給は前記ユーザ
の顔にかかる前記クッションの接触力Ｆｃの構成要素を提供し、Ａｇ／Ａｃの比は１．０
０よりも大きいことを特徴とする、呼吸可能ガスのマスク構成。
【請求項９２】
前記バックストップは前記ガセット部の周縁部の実質的に全体に沿って伸びていること
を特徴とする、請求項９１に記載の呼吸可能ガスのマスク構成。
【請求項９３】
前記マスクシェルに取り付けられ、前記ガセット部の第二のサイドウォール部に接触し
て前記第二のサイドウォール部の動きを規制する略剛性を有する第二のバックストップを
さらに備えていることを特徴とする、請求項９２に記載の呼吸可能ガスのマスク構成。
【請求項９４】
前記第一および第二のバックストップの少なくとも一方は前記マスクシェルに間接的に
取り付けられていることを特徴とする、請求項９３に記載の呼吸可能ガスのマスク構成。
【請求項９５】
前記Ａｇ／Ａｃの比は１．５０から４．００の範囲内にあることを特徴とする、請求項
９２に記載の呼吸可能ガスのマスク構成。
【請求項９６】
前記Ａｇ／Ａｃの比は２．００から４．００の範囲内にあることを特徴とする、請求項
９１に記載の呼吸可能ガスのマスク構成。
【請求項９７】
呼吸可能ガスのマスク構成であって、
加圧された呼吸可能ガスの第一の供給を受け取るように適応された部分とユーザ側とを
有しているマスクシェルと、
前記シェルの前記ユーザ側に取り付けられた第一の側と、第二の側とを有しているガセ
ット部と、
前記ガセット部の前記第二の側に取り付けられるように構成された第一の部分と、使用
時にユーザの顔に接触して前記マスク構成と前記ユーザの顔との間に密閉を提供するよう
に構成された第二の部分とを有しているクッションと、
前記マスク構成を前記ユーザに取り付けるように構成されたヘッドギアと
を備えており、
前記ガセット部は、膨らんだり収縮して前記マスクシェルと前記クッションとの間の距
離を変えることができるように構成されており、前記ガセット部は、前記マスクシェルの
内部とは隔てられた内部容量を持つガセットチャンバを取り囲む断面を有する柔軟性のあ
るサイドウォールを有しており、前記サイドウォールは加圧されたガスの第二の供給に前
記ガセットチャンバを接続する少なくとも一つのポートを有していることを特徴とする呼
吸可能ガスのマスク構成。
【請求項９８】
前記加圧されたガスの第二の供給の圧力は、治療の少なくとも一部の期間中は前記加圧
されたガスの第一の供給の圧力とは異なる圧力に維持されることを特徴とする、請求項９
７に記載の呼吸可能ガスのマスク構成。
【請求項９９】
前記加圧されたガスの第二の供給の圧力は、治療の少なくとも一部の期間中は前記加圧
されたガスの第一の供給の圧力に関連して制御されることを特徴とする、請求項９８に記
載の呼吸可能ガスのマスク構成。
【請求項１００】
前記加圧されたガスの第二の供給の圧力は、治療の少なくとも一部の期間中は前記加圧
されたガスの第一の供給の圧力とは独立して制御されることを特徴とする、請求項９８に
記載の呼吸可能ガスのマスク構成。
【請求項１０１】
前記ガセットチャンバは略円形の断面を有することを特徴とする、請求項９７に記載の
呼吸可能ガスのマスク構成。
【請求項１０２】
前記ガセットチャンバは、前記マスクが使用されていないときは略ダイヤモンド状の断
面を有しており、前記ガセットチャンバが前記加圧されたガスの第二の供給に接続されて
いるときは略円形の断面にまで膨らむことを特徴とする、請求項９７に記載の呼吸可能ガ
スのマスク構成。
【請求項１０３】
前記マスクシェルは、前記マスクシェルと一体的にそれを貫いて成型されており、かつ
前記加圧されたガスの第二の供給に前記サイドウォールポートを相互に接続するポートを
有することを特徴とする、請求項９７に記載の呼吸可能ガスのマスク構成。
【請求項１０４】
装着者の顔に呼吸用マスクを密着して取り付けるためのマスククッションであって、該
クッションは、
軸方向に外側の端部を有するサイドウォールと、
前記サイドウォールに取り付けられた柔軟性のあるメンブレンであって、前記サイドウ
ォールの前記外側端部を超えた位置まで軸方向に伸びている顔接触部を有し、かつ前記伸
びている位置と、前記サイドウォールの前記外側端部が前記装着者の顔に接触する引き込
み位置との間で軸方向に移動して前記メンブレンの軸方向のさらなる動きを制限するよう
に構成されたメンブレンと
を備えていることを特徴とするマスククッション。
【請求項１０５】
前記メンブレンの前記顔接触部の前記軸方向の動きは、前記メンブレンの柔軟性によっ
て実質的に提供されることを特徴とする、請求項１０４に記載のマスククッション。
【請求項１０６】
前記メンブレンは、前記軸方向に外側の端部よりも軸方向に内側の位置で前記サイドウ
ォールに取り付けられており、前記メンブレンの一部は、前記サイドウォールの一部と一
緒に軸方向に外側に伸びていることを特徴とする、請求項１０５に記載のマスククッショ
ン。
【請求項１０７】
前記サイドウォールは、前記サイドウォールの柔軟性を増すべく、少なくとも部分的に
中空であることを特徴とする、請求項１０６に記載のマスククッション。
【請求項１０８】
前記サイドウォールは、前記取り付け位置と前記軸方向に外側の端部との間で少なくとも
部分的に中空であることを特徴とする、請求項１０７に記載のマスククッション。
【請求項１０９】
前記柔軟性のあるメンブレンを前記サイドウォールに接続する柔軟性のある接続部材を
さらに備えており、前記接続部材は前記メンブレンと前記サイドウォールとの間の相対的
な軸方向の動きを可能にすることを特徴とする、請求項１０４に記載のマスククッション
。
【請求項１１０】
前記接続部材は巻き込まれた断面を有することを特徴とする、請求項１０９に記載のマ
スククッション。
【請求項１１１】
前記接続部材は、前記軸方向に外側の端部から軸方向に内側の位置で前記サイドウォー
ルに取り付けられており、前記メンブレンの一部は、前記サイドウォールの一部と一緒に
軸方向に外側に伸びていることを特徴とする、請求項１０９に記載のマスククッション。
【請求項１１２】
前記接続部材は巻き込まれた断面を有することを特徴とする、請求項１１１に記載のマ
スククッション。
【請求項１１３】
前記サイドウォールは、前記サイドウォールの柔軟性を増すべく、少なくとも部分的に
中空であることを特徴とする、請求項１１１に記載のマスククッション。
【請求項１１４】
前記サイドウォールは、前記取り付け位置と前記軸方向の外側の端部との間で少なくと
も部分的に中空であることを特徴とする、請求項１１３に記載のマスククッション。
【請求項１１５】
前記サイドウォールは、前記サイドウォールの柔軟性を増すべく、少なくとも部分的に
中空であることを特徴とする、請求項１０９に記載のマスククッション。
【請求項１１６】
前記サイドウォールは、前記取り付け位置と前記軸方向の外側の端部との間で少なくと
も部分的に中空であることを特徴とする、請求項１１５に記載のマスククッション。
【請求項１１７】
前記サイドウォールは、前記サイドウォールの柔軟性を増すべく、少なくとも部分的に
中空であることを特徴とする、請求項１０４に記載のマスククッション。
【請求項１１８】
前記サイドウォールは、前記取り付け位置と前記軸方向の外側の端部との間で少なくと
も部分的に中空であることを特徴とする、請求項１１７に記載のマスククッション。
【請求項１１９】
マスクシェルと、
前記マスクシェルを前記装着者の頭部に取り付けるヘッドギアと
をさらに備えているマスククッションであって、
前記クッションは、前記マスクシェルを前記装着者の頭部に密閉して接続するためにマ
スクシェルに取り付けられることを特徴とする、請求項１１８に記載のマスククッション
。
【請求項１２０】
マスクシェルと、
前記マスクシェルを前記装着者の頭部に取り付けるヘッドギアと
をさらに備えているマスククッションであって、
前記クッションは、前記マスクシェルを前記装着者の頭部に密閉して接続するためにマ
スクシェルに取り付けられることを特徴とする、請求項１０４に記載のマスククッション
。
【請求項１２１】
マスクシェルと、
前記マスクシェルを前記装着者の頭部に取り付けるヘッドギアと
をさらに備えているマスククッションであって、
前記クッションは、前記マスクシェルを前記装着者の頭部に密閉して接続するためにマ
スクシェルに取り付けられることを特徴とする、請求項１０９に記載のマスククッション
。
【請求項１２２】
前記柔軟性のあるメンブレンは、前記サイドウォールの内側に取り付けられており、内
側に湾曲したリムの形状をとることを特徴とする、請求項１０４に記載のマスククッショ
ン。
【請求項１２３】
前記柔軟性のあるメンブレンは、前記サイドウォールの内側に取り付けられており、内
側に湾曲したリムの形状をとることを特徴とする、請求項１０９に記載のマスククッショ
ン。
【請求項１２４】
前記柔軟性のあるメンブレンは、前記サイドウォールの内側に取り付けられており、内
側に湾曲したリムの形状をとることを特徴とする、請求項１２０に記載のマスククッショ
ン。
【発明の詳細な説明】
【技術分野】
【０００１】
本発明は、呼吸療法で用いられるマスクに関する。一つの使用法としては閉塞型睡眠無
呼吸症候群（Obstructive Sleep Apnea）のＣＰＡＰ治療がある。しかしながら、ここで
提示されるマスクの構成は他のタイプの呼吸療法においても有用である。呼吸療法用のよ
り改良されたマスク構成を求めて、マスクと患者の顔面との間の密閉の有効性、処方され
た治療方法とよく整合すること、および患者の快適さといったさまざまな設計目的がある
。本発明は、公知のマスク構成に対していくつかのはっきりした利点を有する新規のマス
ク構成のさまざまな実施形態を提供する。
【背景技術】
【０００２】
圧力下のマスクに空気が送られる呼吸療法では、マスクと患者の顔との間の密閉を良好
に保つことが重要である。マスクと患者の顔との間からのリークは、マスク内の所望の空
気圧を下げ、ノイズを増加させることになる。これらはともに、治療の有効性および治療
との整合性を減少させ得る。前者の場合には、処方された治療のパラメータが維持されて
いない。後者の場合には、増えた雑音が患者および患者と共に寝る者両方の睡眠サイクル
を妨げる。
【０００３】
リークは、患者が夜動いたときに特に起こりがちである。患者が向きを変えたり動いた
りしたときにデリバリーチューブやマスクシステムが引きずられたり動かされたりすると
、患者の顔に対するマスクの位置合わせおよび配置が変わることがあり、この動きがクッ
ションの密閉部に伝えられてリークを生じ得る。したがって、マスクは患者に取り付けら
れているときは最初はリークなしかもしれないが、患者がベッドで動くにつれて夜更けに
大きくなっていき、患者を起こしてしまう。ゆえに患者は、動きに起因するリークを低減
する、または防ぐために、圧力上の要件から必要とされるよりも強くストラップを締める
ことになるかもしれない。
【０００４】
多くの異なるマスクシステムが知られている。ある広いグループの公知のマスクシステ
ムは、堅いシェル、顔に接触するクッションおよびヘッドギアを含む。通常シェルは鼻、
または鼻および顔を取り囲む。顔全体を取り囲むものもある。クッションは通常シリコー
ンのような柔軟な材料から構成されている。ヘッドギアはマスクを適正な位置に固定する
手段を備えている。ヘッドギアの公知の形態の一つはストラップ構成からなる。
【０００５】
あるマスクの設計は、マスクと患者との間に効果的な密閉を維持している間の患者の快
適さを向上させるために、マスクのクッションの柔軟性を高めるように開発された。Bubb
le Cushion（ResMed, Ltd.の登録商標）マスクは米国特許第5,243,971号にカバーされて
おり、その主題はここで援用されるが、このマスクは、ユーザの肌または顔面に対するク
ッションメンブレン自体の密閉を補助するために、マスクシェルに取り付けられた柔軟性
のあるクッションメンブレンとマスクシステム内部の圧力とを用いる。
【０００６】
ResMed Mirage（ResMed, Ltd.の登録商標）マスクシステムは、特に米国特許第6,112,7
46号にカバーされており、その主題はここで援用されるが、このマスクシステムは、密閉
を助け、かつ患者の快適さを高めるように、内側のフレームリムから離して配置された外
側の顔と接触するメンブレンを有する顔の形状に合わせて三次元に成型されたクッション
を備えている。これらのマスクのいずれも、患者（ユーザ）にマスクを密着させるのを補
助するためにクッションをマスクに当てるための膨らませたガセット部を備えてはいない
。
【０００７】
公知のマスクの公知のフィッティング手順は、治療中にマスクに供給される最大の空気
圧をマスクに供給することと、その最大空気圧でのリークを防ぐのに必要なレベルまでス
トラップの張力を調節することである。しかしながら多くの治療法では、しばしば治療継
続中のある期間のみでしかこの最大空気圧は実現されず、治療中の他の時間は空気圧が低
下している。例えば、自動滴定システムまたは可変圧システムを用いているとき、または
ＣＰＡＰシステムを用いているときの起動時がこのような場合にあたる。したがって、ス
トラップの張力は治療の継続期間の中のかなりの期間、必要であるよりも高くなる。さら
に、このようなリークは睡眠のサイクルおよび処方された治療方法の両方を壊すので、患
者はしばしば、実現される最大の空気圧でのリークを防ぐために、必要であるよりもきつ
くストラップを締めることになる。
【０００８】
堅いシェル１２０に取り付けられたクッション１３０を有する公知のマスク１１０の力
の図を示している図１を参照してほしい。クッション１３０はクッションサイドウォール
１７３に取り付けられた顔面接触部１３４を有している。クッションサイドウォール１７
３は、ResMed Bubble Cushion（登録商標）マスクにおけるように比較的柔軟性に富んで
いるか、あるいはResMed Mirage（登録商標）マスクにおけるように比較的硬い。マスク
１１０は使用時には患者４０の顔４２（仮の線で示している）に接触するが、（図１０の
図と同様に）この図を明確にする目的で平坦な土台４３で患者４０の顔４２を置き換える
。ユーザの顔面に係る従来技術のマスクの力のトータルＦｍは、式Fm = Fc + FAcによっ
て与えられるように実験的に見つけられる。ここでＦｃは患者の顔面にかかるクッション
の力であり、ＦＡｃは患者の顔面にかかる周囲Ａｃ、患者の顔面とクッションの接触する
領域のマスク内の空気圧Ｐの力である。力ＦＡｃは式ＦＡｃ＝ＰＡｃで与えられる。力Ｆ
ｃはＡｃ中に分散され、クッション上の２点に局在することはないので（図１の２次元的
な表現の制約のためにそう見えるが）、この力は括弧内に示されている。Ａｃは、マスク
１１０が最小の接触力でユーザの顔面とちょうど接触するときにそうであるようにサイド
ウォール１７３の内側に示されているが、実際には顔面接触部１３４は、マスク１１０に
十分な力が供給されて、Ａｃが外側に、サイドウォール１７３の方に広がるようにマスク
をユーザの顔面に密着させるときに、下で丸くなる。
【０００９】
従来技術のマスクのヘッドギアストラップＦｓにおける力（張力）は、式Fs = (Fc + F
Ac)/(2cosθ)で与えられるように実験的に見つけられる。ここでθはマスク１００に対す
るヘッドストラップの角度である。したがって、患者の顔面にかかるクッションの力Ｆｃ
は式2Fc = 2 Fscosθ-FAcで表される。患者の顔面にかかるマスククッションの力は、特
により大きな力では、公知のマスクではクッション中に完全に均等に分散することが難し
く、マスククッション中の局在する高圧力点となる。顔面にかかるより大きな力、ならび
に特に局在する高圧力点は患者には不快なものであり、睡眠のサイクルに影響を与える。
例えば、マスクを顔にしっかりと固定するのに必要な力対マスク内空気圧（cmH2Oで測定
）をグラフに示している図２を参照してほしい。そこに見られるように、マスクの空気圧
の範囲全体を通して公知のマスクを顔に密着させたままにするのに必要な力は、治療中に
生じるマスク内の最大空気圧によって最も大きく影響される。つまり、マスク内の圧力が
低下したときでさえも顔にかかるマスクの力はかなり高いレベルのままであり、この力は
最大のマスク空気圧でマスクを密閉するのに必要な力に直接関係する。マスクの位置ずれ
は曲線を上方に移動させる。位置ずれを考慮するとマスクを顔に密着させるためにはより
大きな力が必要であるからである。
【００１０】
公知のマスクのヘッドストラップを締めてマスクの密閉力を増加させると、顔にかかる
この力も増加し、それによってクッションを圧縮し、マスクのシェルを患者の顔面に近づ
ける。ストラップを締めると、マスクのシェルは、密閉が最初に実現される位置Ｘ0とク
ッションがその通常の範囲を超えて圧縮されている点にシェルが達したときの位置Ｘｐと
の間で距離Ｘ移動する。マスクシェルはＸｐを超えて移動することもできるが、クッショ
ンはだいたいＸｐで堅く、あるいはそれに近くなりがちであり、さらなる移動を制限する
。公知のマスクにおいては、一般的にＦｃは、マスクがＸの与えられた範囲内で患者の顔
の方に移動すると、第一のレート（つまり曲線の傾き）で増加する。この第一のレートは
顔接触部１３４の柔軟性の範囲内の値となる。またこの第一のレートはマスクの顔接触部
１３４の裏側に作用するマスク内圧力の関数である。したがって、マスク内圧力が増加す
ると、第一のレートもまたＸの与えられた範囲内で増加する。
【００１１】
しかしながら、公知のクッションは柔軟性に劣り、このような範囲Ｘを超えてさらに圧
縮される。より柔軟性のあるサイドウォールを有するマスクでは、上述したように、Ｆｃ
は、マスクが患者の顔の方に動くと、サイドウォールによって与えられるばね力のために
、サイドウォールがほぼ完全に圧縮されて堅いマスクシェルから顔へ力を直接伝搬する点
までより速いレートで増加する。より堅いサイドウォールを有するマスクでは、上述した
ように、Ｆｃは、マスクが患者の顔の方向に動くと短い距離をさらに速いレートで増加す
るが、堅いサイドウォールが力を堅いマスクシェルから顔に直接伝えるような点に素早く
到達する。
【００１２】
マスクを顔面上に固定するのに必要な力対マスクフレーム（シェル）を開放された位置
から顔の方向への動きをグラフに示す図３を参照してほしい。図３の実線による曲線は、
１０cmsH2Oのマスク空気圧でのResMed Mirage（登録商標）マスクのような公知のマスク
に関して顔にかかる力を示している。この曲線から、顔にかかる力は、クッション１３０
の柔軟性の範囲内で顔方向へのマスクの動きにほぼ直線状に比例して増加する。しかし、
クッションがほぼ完全に圧縮され、クッション１３０のほぼ堅いサイドウォールが力を堅
いシェル１２０から顔に直接伝えるような点では（図３においては約５〜７ｍｍでは）、
顔にかかる力はマスクシェルが顔の方に動くと急激に増加する。
【００１３】
Scarberryの米国特許第5,492,116号および第5,655,527号はフルフェイス呼吸マスクを
開示している。マスクは、マスクシェル１２に直接取り付けられたフレキシブルな密閉部
材１８を有しており、ヘッドギア２４によってユーザの頭部に取り付けられる。フレキシ
ブルな密閉部材１８自体がユーザの頭部と広い接触領域で接触し、密閉メンブレンの内表
面５４上に直接働く空間６２内の圧力を通してユーザの顔に密着する。
【００１４】
「呼吸用の鼻用マスク」と題する１９９９年１月６日に公開された日本の仮未審査特許
出願（公開公報）第１１−３９７号は、マスクシェルとクッションとの間の蛇腹状に形成
された弾性体を開示している。この公報の図面からわかるが、マスクの蛇腹部は、マスク
のクッションが患者の顔と接触する線によって定義される接触領域と実質的に同じである
患者の顔上の領域に突き出している。この公報は、蛇腹の領域と患者の顔にかかる力との
関係については何も教示していない。蛇腹は限られた機械的な柔軟性を提供するが、重要
な圧力上の利点または重要な機械的な柔軟性は何も得られない。このマスクは、マスクの
空気圧の動作範囲にわたってヘッドストラップの圧力を増やすことなしでの患者の顔に対
するマスクの動きによって引き起こされる密閉に関する問題を克服していない。
【発明の開示】
【発明が解決しようとする課題】
【００１５】
そこで本発明は、上記の課題を解決することのできるガセット付きマスクを提供するこ
とを目的とする。この目的は特許請求の範囲における独立項に記載の特徴の組み合わせに
より達成される。また従属項は本発明の更なる有利な具体例を規定する。
【課題を解決するための手段】
【００１６】
即ち、本発明の一つの局面では、使用時に患者の顔に対して所定の位置に配置されるシ
ェルと、使用時に前記患者の顔に力を伝える顔接触クッションと、前記クッションと前記
シェルとの間の相対的な動きを可能にする手段とを備えているマスクシステムであって、
前記手段は前記クッションにかかる所定の力を提供することを特徴とするマスクシステム
が提供される。一形態において、前記所定の力はマスク圧の関数である。他の形態におい
て、前記所定の力は、マスク圧と前記シェルの前記顔に対する変位との両方の関数である
。他の形態において、延期所定の力は独立して制御される。他の形態において、前記クッ
ションと前記シェルとの間の相対的な動きを可能にする手段は、前記シェルと前記クッシ
ョンとの中／間に配置されたガセット部によって提供される。
【００１７】
本発明の一つの局面では、顔上の第一の突出した領域を有する顔接触クッションと、マ
スクシェルと、それらの間のガセット部とを備えているマスクシステムであって、前記ガ
セット部は前記顔上に第二の突出した領域を有しており、前記第二の突出した領域は前記
第一の突出した領域よりも約３０％ほど大きいことを特徴とするマスクシステムが提供さ
れる。
【００１８】
本発明の他の局面では、シェルに連結されて前記シェルに力を与えるヘッドギアと、顔
に力を伝える顔接触クッションとを備えている、マスク圧で使用されるマスクシステムで
あって、前記顔接触クッションは、前記顔接触クッションから伝えられる前記力がマスク
圧の強い関数であるように構成されていることを特徴とするマスクシステムが提供される
。前記クッションの前記顔接触部に対してガセット構成のより大きく突出した領域は、マ
スクシェルが患者の顔との位置合わせが変わってしまっているときでさえもマスク内の空
気圧を利用してガセットを患者の顔に接触するように膨らませ、マスクと患者との間でよ
りしっかした密閉を提供する。ガセットの膨張、収縮および曲がることによって、公知の
マスク構成よりも向上した機械的な柔軟性が与えられ、これが、患者が睡眠中に著しく動
いたり、患者の顔に対するマスクの位置が変化したりしたときでさえも密閉を維持する助
けとなる。したがって、顔にかかるマスクの力はマスク空気圧に最も著しく比例し、クッ
ションは、患者に関するマスクの位置決めのより広い範囲にわたってマスク空気圧によっ
て患者の顔にしっかりと密閉して接触した状態に維持される。これにより、ヘッドギアの
ストラップの張力が公知のマスクよりも一般的には小さい力で、特に治療の最大マスク空
気圧を下回るマスク空気圧のもとでマスクを患者の顔にしっかりと密閉させることが可能
となり、患者の快適さを高め、処方された呼吸療法へのよりよい適合を提供することがで
きる。
【００１９】
いくつかのメンブレン型のクッションマスク構成は、許容可能な密閉を維持しつつ、ク
ッションと装着者の顔との限られた相対的な動きを収容するが、本発明は、患者にマスク
を固定するために用いられるヘッドストラップの圧力を対応して増やすことなく、その収
容能のレベルを劇的に増加させる。ガセット部分は、密閉を維持するのにヘッドギアにお
いて必要とされる聴力を減らしつつ、マスクシェルとユーザの顔に接触しているクッショ
ンとの間の柔軟性のある構成要素を提供する。
【００２０】
本発明の他の実施形態は、マスククッションとユーザの顔との間に密閉を維持する補助
となる新規のマスククッション形状を提供する。
【００２１】
本発明の他の実施形態は、マスク構成の内部空間内に配置された新規のバッフル要素の
使用を含んでいる。本発明のマスク内のバッフル部材の使用は、取り込んだガスが蓄積さ
れた二酸化炭素を有する排気口に直接短絡するのを最小限にする。したがって、バッフル
はマスクの機能上のデッドスペースを減少させて患者が再度吸う二酸化炭素のレベルを低
減するのに寄与する。
【００２２】
本発明の前述の目的、他の目的、特徴および利点は、添付の図面を参照しながら以下の
説明および付属のクレームを考慮すればより明らかになる。これらの全ては本明細書の一
部を構成し、さまざまな図面において同様の参照符号は同様の構成要素を示す。
【００２３】
本発明の第１の観点によれば、呼吸可能なガスマスク構成であって、加圧された呼吸可
能なガスの供給を受けるように適合された部分とユーザ側とを有するマスクシェルと、前
記シェルの前記ユーザ側に取り付けられた第一の側と、第二の側とを有するガセット部と
、前記ガセット部の前記第二の側に取り付けられるように構成された第一の部分と、使用
時にユーザの顔と接触して前記マスク構成と前記ユーザの顔との間の密閉を提供するよう
に構成された第二の部分とを有するクッションと、前記ユーザに前記マスクシェルを取り
付けるように構成されたヘッドギアとを備えており、前記ガセット部は、前記マスクシェ
ルと前記クッションとの間の距離を変えるように膨らんだり収縮したりし得るように構成
されており、前記ガセット部の内部は前記加圧された呼吸可能ガスの供給にさらされてお
り、前記ガセット部の内部は、前記ユーザの顔上に突出した領域Ａｇに作用する前記加圧
された呼吸可能ガスの供給が前記ユーザの顔にかかる前記クッションの接触力Ｆｃの構成
要素を提供するように、前記クッションが前記ユーザの顔と接触する領域Ａｃよりも大き
い前記領域Ａｇを有しており、Ａｇ／Ａｃの比は少なくとも１．３０であることを特徴と
する、呼吸可能ガスのマスク構成を提供する。
【００２４】
本発明の第２の観点における患者に呼吸可能ガスを届けるためのマスクは、加圧された
呼吸可能ガスの供給を受け取るように適合された部分とユーザ側とを有するマスクシェル
と、前記シェルの前記ユーザ側に取り付けられた第一の側と、第二の側とを有するガセッ
ト部と、前記ガセット部の前記第二の側に取り付けられるように構成された第一の部分と
、使用時にはユーザの顔に接触して前記マスクと前記ユーザの顔との間に密閉を提供する
ように構成された第二の部分と、前記マスクシェルを前記ユーザに取り付けるように構成
されたヘッドギアとを備えており、前記ガセット部は前記マスクシェルと前記クッション
との間の距離を変えるように変位範囲内で膨らんだり収縮したりすることができ、前記ガ
セット部は、使用時に前記加圧された呼吸可能ガスの供給にさらされるガセット領域に作
用する前記加圧されたガスの供給が前記ユーザの顔にかかる前記クッションの接触力Ｆｃ
の構成要素を提供するように前記ガセット領域を規定し、前記力Ｆｃは前記加圧された呼
吸可能ガスの供給にほぼ一定の割合に維持され、前記顔にかかる前記マスクのトータルの
力Ｆｍは、前記マスクの動作圧力範囲にわたって前記加圧された呼吸可能ガスの供給の圧
力１gf/cm2あたり約３５〜１０８グラムの範囲内に維持されることを特徴とする。
【００２５】
本発明の第３の観点の患者に呼吸可能ガスを届けるためのマスクは、加圧された呼吸可
能ガスの供給を受け取るように適合された部分とユーザ側とを有するマスクシェルと、前
記シェルの前記ユーザ側に取り付けられた第一の側と、第二の側とを有するガセット部と
、  前記ガセット部の前記第二の側に取り付けられるように構成された第一の部分と、使
用時にはユーザの顔に接触して前記マスクと前記ユーザの顔との間に密閉を提供するよう
に構成された第二の部分と、前記マスクシェルを前記ユーザに取り付けるように構成され
たヘッドギアとを備えており、前記ガセット部は前記マスクシェルと前記クッションとの
間の距離を変えるように変位範囲内で膨らんだり収縮したりすることができるように構成
されており、前記ガセット部は、使用時に前記加圧された呼吸可能ガスの供給にさらされ
るガセット領域に作用する前記加圧されたガスの供給が前記ユーザの顔にかかる前記クッ
ションの接触力Ｆｃの構成要素を提供するように前記ガセット領域を規定し、前記力Ｆｃ
は約４〜２５gf/cm2の動作圧力範囲にわたって、前記加圧された呼吸可能ガスの供給の圧
力１gf/cm2あたり約８〜６１グラムの範囲に維持されることを特徴とする。
【００２６】
本発明の第４の観点からの呼吸可能なガスマスク構成は、加圧された呼吸可能なガスの
供給を受けるように適合された部分とユーザ側とを有するマスクシェルと、前記シェルの
前記ユーザ側に取り付けられた第一の側と、第二の側とを有するガセット部と、前記ガセ
ット部の前記第二の側に取り付けられるように構成された第一の部分と、使用時にユーザ
の顔と接触して前記マスク構成と前記ユーザの顔との間の密閉を提供するように構成され
た第二の部分とを有するクッションと、前記ユーザに前記マスクシェルを取り付けるよう
に構成されたヘッドギアとを備えており、前記ガセット部は、前記マスクシェルと前記ク
ッションとの間の距離を変えるように膨らんだり収縮したりし得るように構成されており
、前記ガセット部の内部は前記加圧された呼吸可能ガスの供給にさらされており、前記ガ
セット部の内部は、前記ユーザの顔上に突出した領域Ａｇに作用する前記加圧された呼吸
可能ガスの供給が前記ユーザの顔にかかる前記クッションの接触力Ｆｃの構成要素を提供
するように、前記クッションが前記ユーザの顔と接触する領域Ａｃよりも大きい前記領域
Ａｇを有しており、Ａｇ／Ａｃの比は１．００よりも大きく、前記顔にかかる前記マスク
のトータルの力Ｆｍの変化は、任意の動作圧力で、初期の密閉位置からの前記ユーザの顔
方向への約６〜２５ｍｍの範囲内での前記マスクシェルの変位にほぼ直接比例することを
特徴とする。
【００２７】
本発明の第５の観点によれば、加圧された呼吸可能なガスを受けとるように適合された
呼吸可能ガスのマスク構成のマスクシェルと顔接触クッションとの間の配置のための装置
であって、前記マスクシェルのユーザ側に取り付け可能である第一の側と、前記クッショ
ンに取り付け可能である第二の側とを有するガセット部を備えており、前記ガセット部は
、前記マスクシェルと前記クッションとの間の距離を変えるように膨らんだり収縮したり
できるように構成されており、前記ガセット部の内部は前記加圧された呼吸可能ガスの供
給にさらされており、前記ガセット部の内部は、前記ユーザの顔上に突出した領域Ａｇに
作用する前記加圧された呼吸可能ガスの供給が前記ユーザの顔にかかる前記クッションの
接触力Ｆｃの構成要素を提供するように、前記クッションが前記ユーザの顔と接触する領
域Ａｃよりも大きい前記領域Ａｇを有しており、Ａｇ／Ａｃの比は少なくとも１．３０で
あることを特徴とする。
【００２８】
本発明の第６の観点によれば、加圧された呼吸可能なガスを受けとるように適合された
呼吸可能ガスのマスク構成のマスクシェルに取り付けられるクッションアセンブリであっ
て、前記マスクシェルのユーザ側に取り付け可能である第一の側と、第二の側とを有する
ガセット部と、前記ガセット部の前記第二の側に取り付けられる第一の部分と、使用時に
はユーザの顔に接触して前記マスク構成と前記ユーザの顔との間の密閉を提供するように
構成された第二の部分とを有するクッションとを備えており、前記ガセット部は、前記マ
スクシェルと前記クッションとの間の距離を変えるように膨らんだり収縮したりできるよ
うに構成されており、前記ガセット部の内部は前記加圧された呼吸可能ガスの供給にさら
されており、前記ガセット部の内部は、前記ユーザの顔上に突出した領域Ａｇに作用する
前記加圧された呼吸可能ガスの供給が前記ユーザの顔にかかる前記クッションの接触力Ｆ
ｃの構成要素を提供するように、前記クッションが前記ユーザの顔と接触する領域Ａｃよ
りも大きい前記領域Ａｇを有しており、Ａｇ／Ａｃの比は少なくとも１．３０であること
を特徴とする。
【００２９】
本発明の第７の観点の加圧された呼吸可能なガスをユーザに供給するマスクアセンブリ
は、前記加圧された呼吸可能ガスを受け取るように適合された部分を有するマスクシェル
と、使用時にユーザの顔と接触し、前記マスクアセンブリと前記ユーザの顔との間に密閉
を提供する部分を有するクッションと、前記マスクシェルと前記クッションとの間に取り
付けられるサスペンション機構と、前記ユーザに前記マスクシェルを取り付けるヘッドギ
アとを備えており、前記サスペンション機構は、前記マスクシェルと前記クッションとの
間の距離を変えるように膨らんだり収縮したりできるように構成されており、前記サスペ
ンション機構の内部は前記加圧された呼吸可能ガスの供給にさらされており、前記サスペ
ンション機構の内部は、前記ユーザの顔上に突出した領域Ａｇに作用する前記加圧された
呼吸可能ガスの供給が前記ユーザの顔にかかる前記クッションの接触力Ｆｃの構成要素を
提供するように、前記クッションが前記ユーザの顔と接触する領域Ａｃよりも大きい前記
領域Ａｇを有しており、Ａｇ／Ａｃの比は少なくとも１．３０であることを特徴とする。
【００３０】
本発明の第８の観点による患者に呼吸可能ガスを届けるためのマスクは、加圧された呼
吸可能ガスの供給を受け取るように適合された部分とユーザ側とを有するマスクシェルと
、前記シェルの前記ユーザ側に取り付けられた第一の側と、第二の側とを有するガセット
部と、前記ガセット部の前記第二の側に取り付けられるように構成された第一の部分と、
使用時にはユーザの顔に接触して前記マスクと前記ユーザの顔との間に密閉を提供するよ
うに構成された第二の部分と、前記マスクシェルを前記ユーザに取り付けるように構成さ
れたヘッドギアとを備えており、前記ガセット部は前記マスクシェルと前記クッションと
の間の距離を変えるように変位範囲内で膨らんだり収縮したりすることができるように構
成されており、使用時に前記加圧された呼吸可能ガスの供給にさらされるガセット領域に
作用する前記加圧されたガスの供給が前記ユーザの顔にかかる前記クッションの接触力Ｆ
ｃの構成要素を提供するように前記ガセット部が前記ガセット領域を規定し、前記力Ｆｃ
は約４〜２５gf/cm2の動作圧力範囲にわたって、前記ユーザの顔と接触する前記クッショ
ンの周囲のリニアセンチメートルあたり前記加圧された呼吸可能ガスの供給の圧力gf/cm2
あたり約０．３〜４グラムの範囲内に維持されることを特徴とする。
【００３１】
本発明の第９の観点によれば、加圧された空気を受け取りユーザに供給するためのユー
ザに取り付け可能なマスクアセンブリであって、ユーザの顔に接触するクッションと、前
記クッションを軸方向に移動可能に支持し、前記空気の圧力に比例して前記クッションに
第一の軸方向のバネ力を与えるように前記加圧された空気にさらされるサスペンション機
構であって、前記第一の軸方向のバネ力は、前記クッションに直接作用する前記加圧され
た空気のため前記クッションにかかる第二の軸方向のバネ力よりも少なくとも３０％大き
い、サスペンション機構とを備えていることを特徴とする。
【００３２】
本発明の第１０の観点の加圧された空気を受け取り、ユーザに供給するためのユーザに
取り付け可能なマスクアセンブリは、マスクシェルと、ユーザの顔に接触するクッション
であって、前記ユーザの顔上の第一の突出した領域を有するクッションと、前記マスクシ
ェルに取り付けられ、前記クッションを軸方向に移動可能に支持するサスペンション機構
であって、前記顔上の前記第一の突出した領域よりも少なくとも３０％大きい前記ユーザ
の顔上の第二の突出した領域を有しているサスペンション機構とを備えていることを特徴
とする。
【００３３】
本発明の第１１番目の呼吸可能なガスマスク構成は、加圧された呼吸可能なガスの供給
を受けるように適合された部分とユーザ側上に軸方向に伸びるシリンダー部とを有するマ
スクシェルと、軸方向にスライド可能に前記マスクシェルの前記シリンダー部に噛み合う
ピストンの形状であり第一の側と、第二の側とを有するガセット部と、前記ガセット部の
前記第二の側に取り付けられるように構成された第一の部分と、使用時にユーザの顔と接
触して前記マスク構成と前記ユーザの顔との間の密閉を提供するように構成された第二の
部分とを有するクッションと、前記ユーザに前記マスクシェルを取り付けるように構成さ
れたヘッドギアとを備えており、前記ピストンは、前記マスクシェルと前記クッションと
の間の距離を変えるように前記マスクシェルの前記シリンダー部において軸方向にスライ
ド可能であり、前記ピストンの表面は前記加圧された呼吸可能ガスの供給にさらされてお
り、前記ピストンの表面は前記クッションが前記ユーザの顔と接触する領域Ａｃよりも大
きいユーザの顔上に突出した領域Ａｇを有しており、前記領域Ａｇに作用する前記加圧さ
れた呼吸可能ガスの供給は前記ユーザの顔にかかる前記クッションの接触力Ｆｃの構成要
素を提供し、Ａｇ／Ａｃの比は１．００よりも大きいことを特徴とする。
【００３４】
本発明の第１２番目の観点からの呼吸可能なガスマスク構成は、加圧された呼吸可能な
ガスの供給を受けるように適合された部分とユーザ側とを有するマスクシェルと、前記シ
ェルの前記ユーザ側に取り付けられた第一の側と、第二の側とを有するガセット部と、前
記ガセット部の前記第二の側に取り付けられるように構成された第一の部分と、使用時に
ユーザの顔と接触して前記マスク構成と前記ユーザの顔との間の密閉を提供するように構
成された第二の部分とを有するクッションと、前記ユーザに前記マスクシェルを取り付け
るように構成されたヘッドギアとを備えており、前記ガセット部は、前記マスクシェルと
前記クッションとの間の距離を変えるように膨らんだり収縮したりすることができるよう
に構成されており、前記ガセット部の内部は前記加圧された呼吸可能ガスの供給にさらさ
れており、前記ガセット部の内部は前記クッションが前記ユーザの顔と接触する領域Ａｃ
よりも大きいユーザの顔上に突出した領域Ａｇを有しており、前記領域Ａｇに作用する前
記加圧された呼吸可能ガスの供給は前記ユーザの顔にかかる前記クッションの接触力Ｆｃ
の構成要素を提供し、Ａｇ／Ａｃの比は１．００よりも大きく、前記ガセット部は底部で
厚くなった断面をもつサイドウォールを有することを特徴とする。
【００３５】
本発明の第１３番目の観点による呼吸可能なガスマスク構成は、加圧された呼吸可能な
ガスの供給を受けるように適合された部分とユーザ側とを有するマスクシェルと、前記シ
ェルの前記ユーザ側に取り付けられた第一の側と、第二の側とを有するガセット部と、前
記ガセット部の前記第二の側に取り付けられるように構成された第一の部分と、使用時に
ユーザの顔と接触して前記マスク構成と前記ユーザの顔との間の密閉を提供するように構
成された第二の部分とを有するクッションと、前記ユーザに前記マスクシェルを取り付け
るように構成されたヘッドギアと、前記マスクシェルに取り付けられ、前記ガセット部の
第一のサイドウォール部に接触して前記第一のサイドウォール部の動きを規制する略剛性
を有するバックストップとを備えており、前記ガセット部は、前記マスクシェルと前記ク
ッションとの間の距離を変えるように膨らんだり収縮したりすることができるように構成
されており、前記ガセット部の内部は前記加圧された呼吸可能ガスの供給にさらされてお
り、前記ガセット部の内部は前記クッションが前記ユーザの顔と接触する領域Ａｃよりも
大きいユーザの顔上に突出した領域Ａｇを有しており、前記領域Ａｇに作用する前記加圧
された呼吸可能ガスの供給は前記ユーザの顔にかかる前記クッションの接触力Ｆｃの構成
要素を提供し、Ａｇ／Ａｃの比は１．００よりも大きいことを特徴とする。
【００３６】
本発明の第１４番目の観点による呼吸可能ガスのマスク構成は、加圧された呼吸可能ガ
スの第一の供給を受け取るように適応された部分とユーザ側とを有しているマスクシェル
と、前記シェルの前記ユーザ側に取り付けられた第一の側と、第二の側とを有しているガ
セット部と、前記ガセット部の前記第二の側に取り付けられるように構成された第一の部
分と、使用時にユーザの顔に接触して前記マスク構成と前記ユーザの顔との間に密閉を提
供するように構成された第二の部分とを有しているクッションと、前記マスク構成を前記
ユーザに取り付けるように構成されたヘッドギアとを備えており、前記ガセット部は、膨
らんだり収縮して前記マスクシェルと前記クッションとの間の距離を変えることができる
ように構成されており、前記ガセット部は、前記マスクシェルの内部とは隔てられた内部
容量を持つガセットチャンバを取り囲む断面を有する柔軟性のあるサイドウォールを有し
ており、前記サイドウォールは加圧されたガスの第二の供給に前記ガセットチャンバを接
続する少なくとも一つのポートを有していることを特徴とする。
【００３７】
本発明の第１５番目の観点によれば、装着者の顔に呼吸用マスクを密着して取り付ける
ためのマスククッションであって、該クッションは、軸方向に外側の端部を有するサイド
ウォールと、前記サイドウォールに取り付けられた柔軟性のあるメンブレンであって、前
記サイドウォールの前記外側端部を超えた位置まで軸方向に伸びている顔接触部を有し、
かつ前記伸びている位置と、前記サイドウォールの前記外側端部が前記装着者の顔に接触
する引き込み位置との間で軸方向に移動して前記メンブレンの軸方向のさらなる動きを制
限するように構成されたメンブレンとを備えていることを特徴とする。
【００３８】
なお上記の発明の概要は、本発明の必要な特徴の全てを列挙したものではなく、これら
の特徴群のサブコンビネーションも又発明となりうる。
【発明を実施するための最良の形態】
【００３９】
以下、発明の実施の形態を通じて本発明を説明するが、以下の実施形態はクレームにか
かる発明を限定するものではなく、又実施形態の中で説明されている特徴の組み合わせの
全てが発明の解決手段に必須であるとは限らない。
【００４０】
本発明の呼吸マスク１０の第一の実施形態を図４〜９に示す。マスク１０は、加圧され
た空気の供給部２３に接続するエアチューブ２２を有するほぼ堅いシェル２０を有してい
る。ガセット部３２は、接着または機械的な締め付けのような公知の方法によってシェル
２０に取り付けられている。ガセット部３２はクッション３０のサスペンション機構とし
て働き、柔軟性のあるガセットサイドウォール３３を有している。ガセット部３２の部分
断面図を図６に示す。本実施形態では、ガセットサイドウォール３３は略一様な厚さを有
し、ガセット部３２はマスクの圧力にさらされていないときには略三角形の断面を有して
いる。しかし本実施形態では、柔軟性のあるサイドウォール３３はマスク１０が加圧され
て図７にしめすようなより丸みのある断面となったときに膨らむ。ガセット部３２の図８
の先端図は、ガセットがクッション３０およびシェル２０の形状に沿うように略三角形の
輪郭を有していることを示している。
【００４１】
クッション３０は、図１０に示すように患者（ユーザ）４０の顔４２に噛み合うように
適合された顔接触部３４を有している。クッション３０の顔接触部３４は、ResMedスタン
ダードクッションのような標準的なクッションの形状、あるいは上述したResMed Bubble 
Cushion（登録商標）およびMirage（登録商標）クッション、あるいは状況によっては他
の形状であり得る。好ましい実施形態では、図９の部分断面図に示すように、本発明のク
ッション３０は、ResMed Mirage（登録商標）と同様に、顔接触部３４として働くアウタ
ーメンブレン７０とメンブレン７０の裏打ち部材を提供するインナーリム７２とを有して
いる。アウターメンブレン７０とインナーリム７２の両方は柔軟性のあるガセット部３２
に接続する比較的剛性のあるサイドウォール７３に接続されている。着用された位置では
、マスクは患者の鼻孔を覆い、鼻４４の周囲を密閉する。他の実施形態では、マスクは鼻
４４と患者の口との両方、患者の口だけまたは顔全体をふさぐこともできる。張力を調整
可能なストラップ５２を有するヘッドギア５０（図１１を参照）はシェル２０と噛み合い
、患者４０にマスク１０をしっかりと固定するために用いられる。本発明の好ましい実施
形態では、ヘッドギアおよび引っ張りストラップは一旦調整されたら比較的広げられない
サイズに調整可能である。マスクシェル２０はマスクからのガスを排出する排気口２１と
後にさらに詳述するバッフル２３とを有している。
【００４２】
ガセット部３２は本発明の一実施形態の利点を提供する２つの鍵となる特徴を有してい
る。ガセット部３２の第一の鍵となる特徴は、ガセット部３２が、その増加した表面積に
作用するマスク内の圧力を用いて、クッションの顔接触部をユーザの顔面と密閉して接触
した状態に保つための主要な力を提供することである。ガセット部の第二の鍵となる特徴
は、クッション３０の顔接触部３４とマスクシェル２０との間で離間する接合を提供し、
それによってマスクとユーザの顔面との間でいくらかの相対的な動きを可能とすることで
ある。この構成は、実質的に、以下のシナリオ、すなわち１）マスクシェルまたはハーネ
スの変位あるいは傾き、２）顔の筋肉のゆるみ、３）患者の動き、および／または４）チ
ューブの動きにおける過度の障害から密閉状態を守る。図１１は患者に取り付けられた本
発明のマスクの一実施形態を示している。
【００４３】
図１０は、（以下に説明する本発明の様々な他の実施形態と同様に）図４〜９に示した
マスクの実施形態の代表的な力の図を示している。図１０は、本発明のマスクについて、
患者の顔面とクッションの接触する領域Ａｃと、ガセット部３２によって規定される領域
Ａｇとを示している。
【００４４】
領域Ａｇは、マスクの空気圧にさらされているガセット部３２の内側の、ユーザの顔の
上に突き出した領域（すなわち、マスクの軸に直交する平面上に突き出している）である
。図４〜１０に示す実施形態では、Ａｇはガセット部３２のサイドウォール３３の内表面
の最も外側まで伸びており、Ａｃを含んでいる。見られるように、マスク１０にガセット
部３２を付加したことにより、領域Ａｇは領域Ａｃに対して、上述した従来技術のResMed
（登録商標）マスク（図１参照）や日本公開公報第11-397号に開示されているマスクより
も著しく大きくなる。
【００４５】
この重要性は以下のことから理解できる。本発明の一形態において、顔にかかるマスク
の力のトータルＦｍは実験式Fm = Fc + FAc = P(Ag - kX) = 2Fscosθによって与えられ
る。患者の顔にかかるクッションの力Ｆｃは実験式Fc = P(Ag - Ac - kX)で与えられる。
ヘッドギアストラップにおける力（張力）Ｆｓは実験式Fs = P(Ag - kX)/(2cosθ)で与え
られる。ここでｋはガセット部の弾性についてのバネ定数であり、Ｘはマスクシェルの顔
向きの移動量である。図１０はまたガセット部３２の動作移動範囲であるＸｐを示してい
るが、実際には、マスク内の圧力が顔接触部３４をシェル２０から遠ざけるように押すと
、Ｘｐはガセットが休まされているときに示されているよりも長くなり得る。
【００４６】
ｋは、純粋に機械的なバネに対して、通常は圧力によっては影響されないが、本発明の
マスク内で生じる圧力範囲内では、ｋは圧力と移動の距離との両方に比例する。したがっ
て、本発明においては、Ｘｐ内で及ぼされるであろう顔にかかる最大の力ＦｍはＰＡｇと
なり、テストから、これがマスク内圧力と移動の距離との両方に比例するファクターｋで
減少することがわかる。
【００４７】
従来技術のマスクの構成では、ヘッドギアストラップにおける力Fs = (Fc + PAc) /(2c
osθ)であることが図１０からわかる。ガセットによって規定される領域Ａｇは顔との接
触領域Ａｃよりも実質的に大きい。ゆえに、クッションが顔に接触する点（Ｆｃ＝０およ
びＸ＝０の両方がなりたつ理論上の初期密閉点）では、公知のマスクについてのストラッ
プでの力は、本発明のマスクについてはPAg/(2cosθ)であるのに対して、PAc/(2cosθ)と
なる。しかし、実際には、ゼロより大きい接触力Ｆｃが、１）顔の輪郭とクッションが完
全に適合しないため、顔とクッションとの間の密閉を維持するために必要であり、かつ、
２）シェルに対する顔の動きの最中にこの密閉を維持するために必要である。この力は、
公知のマスクシステムではヘッドギアストラップにおける張力によってバランスを保たれ
ており、本発明のマスクシステムではガセット領域のみ、すなわちＡｇ−Ａｃにかかる圧
力によってバランスを保たれている。したがって、マスクの空気圧の通常の動作範囲内、
特により低いマスク圧の動作圧力では、ヘッドギアの張力Ｆｓは本発明のマスクシステム
においてより低いことがわかる。
【００４８】
図１０から、本発明のマスクでは、クッションと顔との間の接触力はマスク圧に比例す
る、つまりFc = P(Ag - Ac - kX)であることもわかる。これは、マスクの空気圧が呼吸の
１クール中または呼吸と呼吸との間に変化する、あるいは他の治療上の必要にあうように
変化するような治療において重要な意味をもつ。顔にかかるクッションの力が、マスク内
の圧力に対してほとんど変化しない、あるいは全く変化しないような公知のマスクの構成
では、ストラップの張力は、顔にかかるクッションの接触力がより高い空気圧になったと
きに顔との密閉を維持するほどに十分であるように、低い空気圧でも十分に高く設定され
ていなければならない。
【００４９】
本発明の構成については、クッションの接触力およびストラップの張力は、ガセットの
実質的な面積増のためにマスク内の圧力に実質的に影響を受ける。したがって、これらの
両方がマスク内の圧力にほぼ比例するので、これらの両方は低い空気圧では十分に低く、
空気圧がより高くなると増加する。
【００５０】
実際には、これは最大のマスク空気圧においてさえ真実であることがわかる。例として
、Ａｃが公知のマスク（例えばResMed Mirage（登録商標）マスク）の）および発明のマ
スク（両方とも、クッションの顔接触部において同様の構成を有している）の両方におい
て同じであると仮定する。ＦＡｃは両方の場合で同じである。また、両方のマスクの任意
の適切な位置合わせ、任意の圧力でマスクを密閉するために必要な最小のＦｃは公知およ
び発明のマスクの両方で同じであり、したがって任意の圧力で密閉するために必要となる
Ｆｍは両方の場合で同じである。しかしながら、テストから、マスク空気圧が最大である
ときでさえも、公知のマスクよりも、クッションにかかるより小さな力、顔にかかるより
小さな力、およびストラップのより小さな張力で密閉することがわかる。テストの結果は
現実世界における状況を反映していると考えられる。言い換えると、クッションと同一で
あり完全に適合する顔はなく、マスクと顔との正確な位置あわせを維持するのは極めて難
しい。これは、顔へのマスクの密着を阻むたるんだ皮膚、しわ、および／または肌のひだ
を有する年老いたおよび／あるいは太りすぎの患者の場合によりあてはまる。テストから
、本発明のマスクは、これらのユーザ間の不一致をより取り込むことができ、公知のマス
クよりも低い顔にかかる力で（マスクの空気圧が最大のときでさえ）よりよい密閉能力を
提供することができる。
【００５１】
マスクシェルが顔の方向に動いたときに顔にかかる力に関しての本発明のマスクと公知
のマスクとの比較を示す図３を参照してほしい。本発明がガセットの範囲Ｘｐ内にある限
りは、マスクシェルが顔に近づくとき、公知のマスクと同様に、顔にかかる力に急激な増
加は見られない。Ｘｐを超えると、顔にかかる力は公知のマスクで生じるよりも劇的に増
加し、それはクッションの顔接触部のみを顔に近づける、もしくは顔に非常に軽く接触す
るように動かすようにヘッドギアを調整するときに望ましい。このように、ガセットは実
質的には圧縮されず、使用時にはマスクが依然としてＸｐの範囲内にある。これは、密閉
がヘッドギアによるクッションの圧縮によってではなくマスク内の圧力によって維持され
るために可能である。ヘッドギアおよびマスクの調整は、したがって、公知のマスクより
も簡単である。異なる患者および治療に対してガセット部分のサイズや形状を変えること
によってＸｐの範囲が変えられるとき、１０〜３０ｍｍの間のＸｐが効果的であることが
わかる。図３に示す曲線は、１０ｇｆ／ｃｍ２（グラム力／センチメートル２）のマスク
空気圧に対するものであることに留意されたい。これらの曲線は、マスクの空気圧が増え
たり減ったりすると、上昇したり下降したりすると思われるが、マスクの動作圧力範囲内
では、同じ形状をほぼ維持するであろう。
【００５２】
図４〜９に示す本発明の一実施形態では、ガセットおよびクッションは、Dow Corning
（登録商標）からのSilastic（登録商標）94-595 HC液体シリコーンラバーから一体的に
成型され、ガセットのサイドウォール３３は０．５ｍｍの一様な厚さを有し、ガセットは
約１０５ｍｍの（略三角形Ａｇ）の長い長さを有し、略三角形Ａｃの長い方の長さは約７
１ｍｍである。Ｘｐは約２５ｍｍである。したがって、ガセット（Ａｇ）はほぼクッショ
ンの顔接触部を片側で約１７ｍｍほど超えて伸びている。これにより、３１．５ｃｍ２の
Ａｃ、７５ｃｍ２のＡｇ、４３．５ｃｍ２のガセットのみの領域（Ａｇ−Ａｃ）および約
２．４（または２４０％）のＡｇ／Ａｃが与えられる。これらの寸法は、異なる力の関係
に対しては望むとおりに変わり得るが、好ましい実施形態ではＡｇ／Ａｃは約１．３０〜
５．００の範囲内にあり、好ましくは、徐々に範囲を狭めていくと、１．５０〜５．００
、２．００〜４．００、２．２５〜３．５０となる。しかし、１．３０〜５．００の全範
囲のいかなる範囲内であってもよく、あるいは状況が許せばその範囲を超えて広がる範囲
であってもよい。これを、上述した日本公開公報で開示されたマスクについての役１．０
８という推定されたＡｇ／Ａｃと比較する。
【００５３】
マスクの好ましい実施形態では、顔に印加されるトータルの力Ｆｍは、ｇｆ／ｃｍ２の
マスク空気圧あたり３５〜１０８グラムの間、好ましくｇｆ／ｃｍ２のマスク空気圧あた
り約４０〜８８の間、最も好ましくはｇｆ／ｃｍ２マスク空気圧あたり約５０〜８８グラ
ムの間で略一定である。顔と接触している表面積によって印加される力Ｆｃは、ユーザに
届けられるマスク空気圧に対して略一定の比率に維持され、ｇｆ／ｃｍ２マスク空気圧あ
たり約８〜６１グラムの間、好ましくはｇｆ／ｃｍ２マスク空気圧あたり約２７〜６１グ
ラムの間、最も好ましくは、マスクの空気圧の４〜２５ｇｆ／ｃｍ２の範囲にわたってｇ
ｆ／ｃｍ２マスク空気圧あたり約４０〜６１グラムの間で維持される。この力Ｆｃはまた
、マスクの空気圧の４〜２５ｇｆ／ｃｍ２の範囲にわたって、ユーザの顔と接触するクッ
ションの周囲中のリニアセンチメートルあたりの加圧された呼吸可能なガスの供給の圧力
ｇｆ／ｃｍ２あたりの約０．３〜４グラムの範囲内に、好ましくはユーザの顔と接触する
クッションの周囲中のリニアセンチメートルあたりの加圧された呼吸可能なガスの供給の
圧力ｇｆ／ｃｍ２あたりの約１〜３グラムの範囲内に、最も好ましくはユーザの顔と接触
するクッションの周囲中のリニアセンチメートルあたりの加圧された呼吸可能なガスの供
給の圧力ｇｆ／ｃｍ２あたりの約１，５〜３グラムの範囲内に維持される。この段落では
様々な力について好ましい力範囲を述べたが、力範囲は、任意の力範囲全体内のいかなる
２点の間に設定することも可能であることを理解されたい。本発明の産業においては、大
半の圧力測定値は水柱センチメートルで与えられ、１水柱センチメートル＝１ｇｆ／ｃｍ
２＝９８．０７パスカルである。
【００５４】
ガセット部はまた、患者の顔との位置合わせからプラスまたはマイナス約８度の範囲に
わたってマスクが患者の顔との密閉を維持することを可能にする。
【００５５】
図３に示す発明のマスクに関する曲線の形状は、ガセットの断面を変えることによって
、あるいはガセットにバックストップを与えることで変化し得る。ガセットが極めて一様
な厚さおよび曲線を有するとき、図６および７に示すように、顔にかかるトータルの力対
顔方向へのマスクの動きを示す曲線は、Ｘｐ内で略直線状となる。マスクシェルがＸｐの
方に移動するときにより大きい密閉力がより早期に印加されることがテストにおいてはの
ぞましい。言い換えると、マスクシェルのＸｐへの移動のより早い段階で、任意の圧力で
密閉するための最小の力Ｃから膨らませたガセットに対する最小の力Ｄの方に移動するこ
とが有利である。これによって、マスクが動作するより大きな残りの範囲Ｘｐが提供され
、その残りの範囲内をＸｐの方にマスクシェルが動くときに顔にかかるマスクの力はより
緩やかに増加する。図１２〜１４に示す実施形態は、この目的を達成する助けとなる。
【００５６】
図１２に示す最初の例において、ガセットサイドウォールの底部はサイドウォールを堅
くするように急に厚くされている。この実施形態では、このマスクについての力−変位曲
線は、ＣからＤに向かって動き、それから低下してＸｐに到達するまで略直線状の傾きと
なるので、クッションについての曲線（すなわち、図３に示す公知のマスクについての曲
線）にほぼ追従する。しかしながら、Ｄの値を変えるとこの曲線も変わる。Ｄの値は、ガ
セットサイドウォールの堅くなった部分の面積にマスクの圧力を乗じることによって計算
される。ガセットサイドウォールの堅くなった部分は図１０においてＡｓとして示してい
る。しかし、もしＡｓの値がガセットサイドウォールの堅くする部分をより大きくするこ
とによって増加すると、Ｄの値は増加する。図３に示すＤ'の値と、Ａｓを増加させるべ
くガセットサイドウォールのより大きな部分を厚くした（堅くした）マスクの実施形態に
対応する短い点の鎖線による曲線を参照されたい。したがって、長い点の鎖線による曲線
は図１２に示したＡｓ１を有するガセットの実施形態を表し、短い点の鎖線による曲線は
図１２に示したＡｓ１よりも大きなＡｓ２を有するガセットの実施形態を表している。図
３から、Ａｓ２を有するガセットの実施形態は、マスクシェルがＸｐの方に動くにつれて
、Ａｓ１を有するガセットの実施形態よりも早くに値Ｄ'に到達し、それによりマスクシ
ェルが使用時に移動することができる範囲Ｘｐをより大きく残すことがわかる。
【００５７】
図６および７の実施形態に剛性を有するバックストップを追加することによって、類似
した効果を得ることができる。剛性を有するバックストップ３５をガセット部３２および
シェル３２の一方または両方に取り付けた実施形態を示す図１３を参照されたい。剛性を
有するバックストップは、膨らませた状態でガセットのサイドウォールに接触し、接触し
ているサイドウォールの部分にとっての補強剤として機能する。したがって、剛性を有す
るバックストップは、図１２の実施形態と同様の効果を提供することができる。バックス
トップ３５は、ガセット部の片側または両側に配置することができ、所望の曲線を提供す
るのに必要であれば、ガセット部の周囲の一部あるいは全体に沿って伸ばすこともできる
。バックストップはマスクシェル２０と同じ材料から形成することができ、一実施形態で
は、一方または両方のバックストップ３５をシェル２０と一体的に成型することもできる
。他の実施形態では、所望の力／移動曲線に特別に合わせるために、図６、７、１２、１
４および１６に示す構成を互いに組み合わせて、つまり、ガセットの片側上の構成の一つ
とガセットの他方の側上の構成とを用いることができる。様々な実施形態の厚さおよび寸
法もまた、力／移動の曲線に特別に合わせるべく変更することができる。ガセットの形状
および寸法を変えることでマスクの力／移動曲線を容易かつ特別に合わせることができる
というこの能力は、本発明の他の類のない有利な局面である。
【００５８】
図１４に示すように、ガセットがテーパーのついた厚さを有するサイドウォールをもつ
場合、その結果得られる力−変位曲線は図６の実施形態の曲線と図１２の実施形態の曲線
との間となる（これら２つの実施形態について匹敵するガセットの底部と中間部分の厚さ
と仮定したとき）。
【００５９】
ガセット部は、上述した単一のガセット形態である必要はないが、図１５〜１８にいく
つかの例を示すように、各例についてＡｃおよびＡｇに沿って他の形状を有することもで
きる。
【００６０】
図１５は、ガセット部３２がクッション３０の顔接触部３４とマスクシェル２０との間
に離間する接合部を提供するダブルガセットの形態をとるマスク１０の他の実施形態を示
している。言うまでもなく、ガセット部３２の他の実施形態では３つ以上のガセットを用
いることができる。図１６は、クッション３０の顔接触部３４とマスクシェル２０との間
で離間する接合部を提供するようにガセット部３２が階段状になっているマスク１０の他
の実施形態を示している。図１６には３段を示しているが、他の実施形態では１段以上の
段を用いることができる。この実施形態のガセットの一つの利点は、ガセット部３２のシ
ェル側が完全に開いている、つまり隠れた表面がないのでガセット部３２とクッション３
０とを一緒に成型するのが容易であることである。図１７は、ガセット部３２がクッショ
ン３０の底部で軸方向にスライド可能にシェル２０のシリンダー部５６に噛み合うピスト
ン５４の形態であるマスク１０の他の実施形態を示している。したがってピストン５４は
シェル２０に対してクッション３０を出入りさせるように動かして、クッション３０の顔
接触部３４とマスクシェル２０との間で離間する接合を実現する。加圧下でピストンおよ
びクッションがシェル２０から完全に外れることを防ぐためにシェル２０上にストップ５
８を設けることができる。マスク内の空気圧が減少したときにピストン５４をシェル２０
に押し戻すようにバネ６０を随意に設けることができる。バネの存在は、上述したガセッ
ト部の弾性抵抗をシミュレートし、Ｆｍの式にｋＸのファクターを付加する。バネがなけ
れば、ｋはピストンの移動範囲内では０に等しい。
【００６１】
さらに他のマスク形状を図１８に示す。これは、より大きい上側のバレル状ガセット７
８と下側のより小さいバレル状のガセット８０とを有するガセット部３２を備えている。
あるいは、より大きいガセットおよびより小さいガセットは、力の特性に合わせるために
、入れ替えられてもよく、同じサイズとしてもよく、あるいは任意の異なる形状にするこ
とができる。
【００６２】
図２１は、本発明のマスクの他の実施形態を示しており、ここではガセット部３２は、
マスクシェル２０の内部１９２から隔てられた内部容量を有するガセットチャンバ１９０
を囲む略円形または丸まった断面をもつ柔軟性のあるサイドウォールを備えている。この
実施形態の一例では、ガセットチャンバ１９０は、サイドウォール３３の少なくとも一つ
のポート１９３を通してマスクシェル内部１９２に接続され得る。図２３を参照してほし
い。このような場合、ガセットチャンバの圧力Ｐ２はマスクシェルの内部の圧力Ｐ１と同
じであり、ガセット部３２の実効領域Ａｇはガセットサイドウォール３３の内表面の最も
外側まで伸びており、ガセット部は図１０に示す実施形態と同様に動作する。しかしなが
ら、この実施形態の好ましい例では、ガセットチャンバ１９０内の圧力Ｐ２がマスクシェ
ル内部１９２内の圧力Ｐ１とは異なる圧力に制御されるように、ガセットチャンバ１９０
の内部がサイドウォール３３におけるポートを通じて別個のガスの加圧供給部へ接続され
、そしてマスクシェル内部へとつながる。したがって、ガセット部による力は、圧力Ｐ２
とガセット部の面積との積になる。さらにこの実施形態では、ガセット部の領域は、前記
実施形態におけるようにガセットサイドウォールの内表面の最も外側によっては定義され
ず、クッションのサイドウォールから放射状に内側の領域を含むガセットチャンバ１９０
全体の突き出した領域となる。ガセットチャンバのこの領域Ａｇｃは図２１では括弧内に
示している。これにより、ガセット部とマスクとを制御する上で高い柔軟性が与えられる
。
【００６３】
第一に、さらなる密閉力がガセット部から必要とされると、圧力Ｐ２は単に増やされ得
、あるいはより小さい密閉力が必要とされればその逆となる。第二に、ガセット部がクッ
ションに与える力は圧力Ｐ２とガセット部の面積Ａｇｃとの積であるため、面積Ａｇｃが
前述した実施形態における面積よりも重要度の低いものである。なぜならそれは圧力Ｐ２
の変化によってずれ得るからである。例えば、ガセット部の外縁部をこの実施形態では前
述した実施形態よりも小さくすることができる。なぜならガセット部の内部の部分はガセ
ット部の加圧された領域に付加されているからである。さらにガセットチャンバの面積Ａ
ｇｃは希望に応じて、圧力Ｐ２を変えることによって変えることができ、特に小さくする
ことができる。これにより、マスクを上述した他のマスクと比べて小さくすることができ
、患者にとってより食い込みの少ない、より快適なものとすることができる。
【００６４】
圧力Ｐ２は、Ｐ１に対して比較的一定の割合で制御することができ、あるいは状況が許
せばＰ１に対して異なる割合で制御することができる。大半の治療においては、治療の大
部分、そうでなければ全てに関して、Ｐ２はＰ１よりも大きいと現在は考えられているが
、ある状況下ではＰ２をＰ１よりも小さく制御することが望ましくなり得ると予想される
。いくつかの例では、Ｐ２は一定に保たれるとも予想される。この実施形態におけるガセ
ットチャンバは第二の加圧されたガス供給部にのみ接続されるか、さもまければ、特に大
気に対して閉じているように意図されている。したがって、ガセットチャンバからは最小
限の漏れでああろうし、第二の加圧ガス供給部は第一の加圧ガス供給部によって呼吸目的
で供給されなければならないガスの容量よりも著しく小さい容量のガスを供給することの
みを必要とする。さらに、Ｐ１およびＰ２用の二つの別個の加圧ガス供給源は、同一のガ
スポンプで提供されてもよく、また異なる所望の圧力となるように公知の制御装置によっ
て制御されてもよい。あるいは、二つの異なるガスポンプを、マスク内部１９２およびガ
スチャンバ１９０のそれぞれへのガス供給のために用いてＰ１およびＰ２のそれぞれを別
個に制御することもできる。
【００６５】
ガセットチャンバ１９０は、マスクシェル２０と一体的に成型されたポート１９５とつ
ながるガセットサイドウォール３３内のポート１９４を通して第二のガス供給部に接続さ
れ得る。あるいは、ガセットチャンバ１９０は、マスクシェル２０を迂回して、ガセット
サイドウォール３３のポート１９６を通じて第２のガス供給部に接続することもえきる。
これらの両方の代替例を示している図２４を参照されたい。
【００６６】
図２１の実施形態は、図１２〜１４に関して上述した厚く／堅くされたガセットサイド
ウォール３２の一部分を有し得る。しかし、Ｐ１とは異なるＰ２を制御することによって
提供される柔軟性が増加するということは、ガセットサイドウォールもまた、略一様な厚
さとしてもよく、前述した実施形態において堅くすることによって提供された類似した効
果が圧力Ｐ２を所望の通りにただ単に変化させることによって本実施形態でも提供される
ことを意味する。
【００６７】
図２１に示したマスクの他の実施形態では、ガセット部３２は、マスク１０が使用され
ていないとき、または加圧されてないときに、図２２に示すように、略ダイヤモンド形状
の断面を有することもできる。その断面は、ガセットチャンバが加圧されると略円形の断
面にまで膨らみ得る。上述した図１７に対応するピストン／シリンダ構成を含むガセット
部３２の他の形状もまた用いることができる。
【００６８】
クッションもまた他の形状を有することができる。クッション３０の部分断面を示して
いる図２５〜３０を参照されたい。これらの実施形態のそれぞれにおいて、クッション３
０は、顔接触部１３４として作用する柔軟性のあるメンブレン１７０を備えている。柔軟
性のあるメンブレン１７０はクッション３０のより剛性の高い支持サイドウォール１７３
に取り付けられている。これらの実施形態は、図９に示す実施形態が使用しているような
インナーリムを使用しない。各実施形態では、顔接触部１３４は、クッションが使われて
いないときにサイドウォール１７３の軸方向の外側の端部１７４を超えて伸びている。顔
接触部１３４はサイドウォール１７３に対して軸方向に動き得、顔接触部１３４と軸方向
の外側の端部１７４との間の軸方向の距離を変える。すなわち、クッションにユーザの顔
方向への力が印加されると、顔接触部１３４は、サイドウォール１７３の軸方向の外側端
部１７４の方に軸方向に動きながら引っ込む。サイドウォール１７３の端部１７４は、ユ
ーザの顔に接触したときに、この引き込みに対する端部に対するポジティブな歯止めを提
供する。
【００６９】
図２５および２６に示す実施形態では、柔軟性のあるメンブレン１７０は軸方向の外側
の端部１７４から軸方向に内側の位置１７５でサイドウォール１７３に取り付けられてお
り、メンブレン１７０の一部分は、位置１７５と端部１７４との間をサイドウォール１７
３と一緒に軸方向に外側に伸びている。これらの実施形態では、顔接触部１３４の軸方向
の動きはメンブレン１７０の柔軟性によって実質的に提供される。例えば、軸方向で外側
の端部１７４がユーザの顔と接触するときに、より剛性の低いサイドウォール１７３がユ
ーザにとってより快適であるとして望まれれば、サイドウォール１７３は、特に位置１７
５と端部１７４との間に中空の部分１７６を有し得る。図２６を参照。
【００７０】
図２７〜３０に示した実施形態では、柔軟性のあるメンブレン１７０は柔軟性のある接
続部材１７７でサイドウォール１７３に接続されており、接続部材１７７は柔軟剤のある
部材１７０とサイドウォール１７３との間における軸方向の動きを提供する。接続部材１
７７は、図２７に示すような略直線状の断面、図２８に示すような巻き込まれた断面、ま
たは他の断面を有し得る。柔軟性のある接続部材１７７は、図２７〜２９に示すように軸
方向の外側端部１７４の近くでサイドウォール１７３に取り付けられ得、あるいは図３０
に示すように、軸方向に内側の位置でサイドウォール１７３に取り付けられ得る。図２６
の実施形態の場合、サイドウォールはより剛性を低くするべく少なくとも部分的に中空と
することができる。図２９を参照。好ましい実施形態では、柔軟性のあるメンブレン１７
０、柔軟性のある接続部材１７７、およびサイドウォール１７３はともに一体的に成型さ
れる。柔軟性のあるメンブレンはクッションのサイドウォールに取り付けられているよう
に図示されているが、他の実施形態では、メンブレンは、マスクシェルの一部が軸方向の
外側端部１７４として働くようにマスクシェルに直接取り付けられてもよい。
【００７１】
図２５〜３０の実施形態は、上述したガセットの特徴と関連して用いることができ、あ
るいは公知のマスククッションと共に用いることができる。これらの実施形態は、公知の
マスククッションよりも製造が簡単で安価であるクッションにおいて顔との良好な密着特
性を提供する。図２７〜３０の実施形態では、柔軟性のある接続部材はマスクが加圧され
たときに上述したガセットの特徴と同様に作用することも理解されるであろう。すなわち
、マスク内の圧力は、柔軟性のあるメンブレン１７０の顔接触部１３４に付加的な力を行
使すべく柔軟性のある接続部材１７７に作用し、その付加的な力は上述した実施形態に関
して上述したものと同じ特性を有する。図２７〜３０の実施形態では、領域Ａｃは上記実
施形態におけるものと同じと測定され、領域Ａｇは接続部材１７７がサイドウォール１７
３にあたるサイドウォール１７３の内表面と測定される。
【００７２】
他の実施形態は、ここで開示した実施形態のいずれの様々な組み合わせを用いることが
できる。
【００７３】
本発明のガセット部は、クッションおよびマスクシェルとは別個の構成要素として製造
され得るが、ここで述べた効果を提供するために互いに組み合わせ可能である。
【００７４】
減少した接触力、顔にかかる力のトータル、およびマスク内空気圧の範囲にわたる、特
に最大の空気圧を下回るマスク空気圧でのヘッドギアの張力によって、特に患者が眠りに
つこうとするときに夜の始めでは低い圧力で治療を開始する自動滴定装置に関して、患者
の快適さが向上する。向上した密閉性（これはより低い接触力で得ることができる）によ
って、リークの危険が実質的に減少して患者およびそのパートナーの睡眠が妨げられるこ
とが減少する。向上した密閉性はまた、密閉における患者の信頼を増し、患者の治療をよ
り快適なものとする。本発明のマスクのガセット部の鍵となる特徴が患者の利益および処
方された治療へのよりよい適合性へと至る主要な利点をいかにして提供するかを図示する
図１９を参照されたい。
【００７５】
本発明の他の局面は、マスクシェル２０のバッフル２３を含むことである。マスクシェ
ル２０におけるバッフルの使用はマスク内の空気の動きを向上させる。図４、５および２
０に示す実施形態は、バッフル２３はマスクインテイク２２とマスク排気口２１との間に
配置された平坦な板の形状である。バッフル２３は、略水平にマスクの方に伸び得、ある
いは上方または下方に傾き得る。バッフルは平坦な板状である必要はなく、Ｖ字状、カー
ブした形状、波状であってもよく、あるいはインテイクからの空気を排気口への直接の流
れからそらすように最良に設計された他の形状をとってもよい。バッフル２３はマスクシ
ェルと一体的に成型されてもよく、接着剤または超音波による接着を含む他の公知の方法
によってシェルにくっつけられてもよい。バッフルを有するマスクシェルは、ガセット部
と組み合わせて用いられ得るが、これらの局面のいずれも本発明のマスクに置いて単独で
用いることができる。
【００７６】
本発明を、現時点で最も実用的であり好ましい実施形態であると考えられる実施形態に
したがって説明したが、本発明は開示された実施形態に限定されない。逆に本発明は、付
属のクレームの精神と範囲内に含まれる様々な改変および等価な構成をカバーするように
意図されている。そのクレームは、このような全ての等価な構造を包含するように最も広
く解釈されるべきである。
【００７７】
以上、本発明を実施の形態を用いて説明したが、本発明の技術的範囲は上記実施の形態
に記載の範囲には限定されない。上記実施の形態に、多様な変更又は改良を加えることが
できる。その様な変更又は改良を加えた形態も本発明の技術的範囲に含まれ得ることが、
特許請求の範囲の記載から明らかである。
【図面の簡単な説明】
【００７８】
【図１】公知のマスクについての力を模式的に示す図である。
【図２】公知のマスクおよび本発明のマスクの両方を患者の顔に固定するために必要な力対マスク内の空気圧を示す図である。
【図３】公知のマスクおよび本発明のマスクの両方を顔に固定するために必要な力対開放された位置から患者の顔方向へのマスクシェルの動きを示す図である。
【図４】本発明のマスクの側面図である。
【図５】図４のマスクの斜視図である。
【図６】膨張前の図４のマスクのガセット部の部分断面図である。
【図７】膨張後の図４のマスクのガセット部の部分断面図である。
【図８】図４のマスクのガセット部のマスクシェル側の先端の図である。
【図９】図４のマスクのクッションの部分断面図である。
【図１０】図４のマスクの力を模式的に示している。
【図１１】ストラップベースのヘッドギアを用いて患者に取り付けられた本発明のマスクの斜視図である。
【図１２】本発明のガセット部の他の実施形態の部分断面図である。
【図１３】本発明のガセット部の他の実施形態の部分側面図である。
【図１４】本発明のガセット部の他の実施形態の部分断面図である。
【図１５】患者の顔と接触している本発明のマスクの他の実施形態の断面図である。
【図１６】患者の顔と接触している本発明のマスクの他の実施形態の断面図である。
【図１７】患者の顔と接触している本発明のマスクの他の実施形態の断面図である。
【図１８】患者の顔と接触している本発明のマスクの他の実施形態の断面図である。
【図１９】本発明から得られ、患者によるより向上した治療の適合性へと至る鍵となる特徴、主要な利点、および患者にとって有益な点を図示している。
【図２０】本発明の一実施形態のマスクシェルの内部の図である。
【図２１】本発明の他の実施形態の概略図である。
【図２２】図２１に示す実施形態の他の例の概略図である。
【図２３】図２１に示す実施形態のある例の部分断面図である。
【図２４】図２１に示す実施形態の他の例の部分断面図である。
【図２５】本発明のマスククッションの他の実施形態の部分断面図である。
【図２６】本発明のマスククッションの他の実施形態の部分断面図である。
【図２７】本発明のマスククッションの他の実施形態の部分断面図である。
【図２８】本発明のマスククッションの他の実施形態の部分断面図である。
【図２９】本発明のマスククッションの他の実施形態の部分断面図である。
【図３０】本発明のマスククッションの他の実施形態の部分断面図である。
【符号の説明】
【００７９】
１０  マスク
２０  シェル
２２  チューブ
２３  バッフル
３０  クッション
３２  ガセット部
３３  ガセットサイドウォール
３４  顔接触部
３５  バックストップ
４２  顔
４４  鼻
５０  ヘッドギア
５２  ストラップ
５４  ピストン
６０  バネ
７０  アウターメンブレン
７２  インナーリム
１３４  顔接触部
１７０  メンブレン
１７３  サイドウォール
１７４  端部
１７７  接続部材
１９０  ガセットチャンバ
【図１】
2010279807.tif 000003
【図２】
2010279807.tif 000004
【図３】
2010279807.tif 000005
【図４】
2010279807.tif 000006
【図５】
2010279807.tif 000007
【図６】
2010279807.tif 000008
【図７】
2010279807.tif 000009
【図８】
2010279807.tif 000010
【図９】
2010279807.tif 000011
【図１０】
2010279807.tif 000012
【図１１】
2010279807.tif 000013
【図１２】
2010279807.tif 000014
【図１３】
2010279807.tif 000015
【図１４】
2010279807.tif 000016
【図１５】
2010279807.tif 000017
【図１６】
2010279807.tif 000018
【図１７】
2010279807.tif 000019
【図１８】
2010279807.tif 000020
【図１９】
2010279807.tif 000021
【図２０】
2010279807.tif 000022
【図２１】
2010279807.tif 000023
【図２２】
2010279807.tif 000024
【図２３】
2010279807.tif 000025
【図２４】
2010279807.tif 000026
【図２５】
2010279807.tif 000027
【図２６】
2010279807.tif 000028
【図２７】
2010279807.tif 000029
【図２８】
2010279807.tif 000030
【図２９】
2010279807.tif 000031
【図３０】
2010279807.tif 000032
【手続補正書】
【提出日】平成22年10月22日(2010.10.22)
【手続補正１】
【補正対象書類名】特許請求の範囲
【補正対象項目名】全文
【補正方法】変更
【補正の内容】
【特許請求の範囲】
【請求項１】
呼吸可能なガスマスク構成（１０）であって、
加圧された呼吸可能なガスの供給を受けるように適合された部分（２０）およびユーザ側とを有するマスクシェル（２０）と、
前記マスクシェルの前記ユーザ側に取り付けられるシェル取付部、使用時にユーザの顔と接触して前記マスク構成と前記ユーザの顔との間の密閉を提供するように構成された顔接触部（３４）、および、前記シェル取付部と前記顔接触部との間に配されたガセット部（３２）を有するクッション（３０）と、
前記マスクシェル（２０）を前記ユーザに取り付けるヘッドギア（５０）と
を備え、
前記ガセット部（３２）は、使用時に前記マスクシェル（２０）と前記クッション（３０）との間の距離を変えるように膨らんだり収縮したりし得るように構成されており、
前記ガセット部は、前記マスクシェルと前記クッションとの間に２つだけのガセットを有しており、それぞれの前記ガセットは、それらの間に角度が定義される第１のサイドウォールおよび第２のサイドウォールを有し、前記２つのガセットは互いに大きさが異なっており、前記顔接触部に近い方の前記ガセットは、前記シェル取付部に近い方の前記ガセットよりも大きいガスマスク構成（１０）。
【請求項２】
前記距離は、前記ガセット部（３２）の、０ｍｍより大きく３０ｍｍより小さい、可動範囲（Ｘｐ）内である請求項１に記載のガスマスク構成（１０）。
【請求項３】
前記ガセット部（３２）は、初期位置から、初期位置から１０−３０ｍｍの位置まで、好ましくは５−２０ｍｍの位置まで膨らんだり収縮したりし得る請求項２に記載のガスマスク構成（１０）。
【請求項４】
前記ガセットのそれぞれは、加圧された呼吸可能なガスの供給にさらされないときには略三角形の断面を有し、かつ、加圧された呼吸可能なガスの供給にさらされたときには略丸みのある断面に膨らむ、柔軟性のあるサイドウォール（３３）を有する請求項１から３のいずれか１項に記載のガスマスク構成（１０）。
【請求項５】
ガセット部（３２）の内面は、加圧された呼吸可能なガスにさらされ、かつ、前記ユーザの顔に投影したときに、前記ユーザの顔と接触するクッション（３０）の領域Ａｃよりも大きい領域Ａｇを有し、
前記領域Ａｇに作用する加圧された呼吸可能なガスの供給は、前記ユーザの顔に働くクッション（３０）の接触力Ｆｃの成分を生じせしめ、比Ａｇ／Ａｃは、１．６より大きくて４．０より小さく、好ましくは１．８より大きくて３．５より小さい請求項１から４のいずれか１項に記載のガスマスク構成（１０）。
【請求項６】
呼吸可能なガスマスク構成（１０）であって、
加圧された呼吸可能なガスの供給を受けるように適合された部分（２０）およびユーザ側とを有するマスクシェル（２０）と、
前記マスクシェルの前記ユーザ側に取り付けられるシェル取付部、使用時にユーザの顔と接触して前記マスク構成と前記ユーザの顔との間の密閉を提供するように構成された顔接触部（３４）、および、前記シェル取付部と前記顔接触部との間に配されたガセット部（３２）を有するクッション（３０）と、
前記マスクシェル（２０）を前記ユーザに取り付けるヘッドギア（５０）と
を備え、
前記ガセット部（３２）は、前記クッション（３０）の前記第２の部分（３４）を介して前記患者の顔に働く力（Ｆｍ）の少なくとも部分的な決定要因であるバネ定数（ｋ）を有する弾性的なサイドウォール（３３）を有し、
前記ガセット部は、前記マスクシェルと前記クッションとの間に２つだけのガセットを有しており、それぞれの前記ガセットは、それらの間に角度が定義される第１のサイドウォールおよび第２のサイドウォールを有し、前記２つのガセットは互いに大きさが異なっており、前記顔接触部に近い方の前記ガセットは、前記シェル取付部に近い方の前記ガセットよりも大きいガスマスク構成（１０）。
【請求項７】
前記ガセット部（３２）は、使用時に前記マスクシェル（２０）と前記クッション（３０）との間の距離を変えるように膨らんだり収縮したりし得るように構成されている請求項６に記載のガスマスク構成（１０）。
【請求項８】
前記距離は、前記ガセット部（３２）の、０ｍｍより大きく３０ｍｍより小さい、可動範囲（Ｘｐ）内である請求項７に記載のガスマスク構成（１０）。
【請求項９】
ガセット部（３２）の内面は、加圧された呼吸可能なガスにさらされ、かつ、前記ユーザの顔に投影したときに、前記ユーザの顔と接触するクッション（３０）の領域Ａｃよりも大きい領域Ａｇを有し、
前記領域Ａｇに作用する加圧された呼吸可能なガスの供給は、前記ユーザの顔に働くクッション（３０）の接触力Ｆｃの成分を生じせしめ、比Ａｇ／Ａｃは、１．６より大きくて４．０より小さく、好ましくは１．８より大きくて３．５より小さい請求項６から８のいずれか１項に記載のガスマスク構成（１０）。
【請求項１０】
前記ガセットのそれぞれは、加圧された呼吸可能なガスの供給にさらされないときには略三角形の断面を有し、かつ、加圧された呼吸可能なガスの供給にさらされたときには略丸みのある断面に膨らむ、柔軟性のあるサイドウォール（３３）を有する請求項６から９のいずれか１項に記載のガスマスク構成（１０）。
【請求項１１】
前記クッションは、前記患者の鼻及び口の周りを密閉する請求項１から１０のいずれか１項に記載のガスマスク構成。
【請求項１２】
前記クッションは、シリコーン材料により一体的に成型されている請求項１から１１のいずれか１項に記載のガスマスク構成。
【請求項１３】
前記顔接触部は、柔軟性のあるメンブレンを含む請求項１から１２のいずれか１項に記載のガスマスク構成。
【請求項１４】
前記患者の耳よりも上を通る上部側ストリップ、および、前記患者の耳よりも下を通る下部側ストリップを有する請求項１から１３のいずれか１項に記載のガスマスク構成。
【請求項１５】
前記ガセットの前記サイドウォールは、略一様な厚さを含む請求項１から１４のいずれか１項に記載のガスマスク構成。